(57)【要約】  トーンマップは、多搬送波通信チャネルに関する物理層送信プロパティを含む。物理層送信プロパティは、１つ以上の周波数（すなわち、トーン）で使用されるべき変調モード及び送信電力を示す。送信電力は、より低いＳＮＲを有する第２の周波数に関して性能が向上することができるように高い信号対雑音比（ＳＮＲ）を有する第１の周波数において低減させることができる。送信電力は、第２の周波数に関して性能が向上するように使用できないくらい低いＳＮＲを有する第１の周波数において低減させることができる。変調及び送信電力調整値を各々の搬送波ごとに効率的に通信するためにトーンマップメッセージが使用される。
2016517214.tif 000002
【特許請求の範囲】
【請求項１】
通信チャネルを介しての通信を調整するための方法であって、
第１のデバイスにおいて、前記第１のデバイスと第２のデバイスとの間の通信チャネルに関するトーンマップを作成することであって、前記トーンマップは、少なくとも第１の周波数を含む複数の周波数の各々に関する物理層送信プロパティを含み、前記物理層送信プロパティは、前記少なくとも第１の周波数に関する変調情報と送信電力情報とを含むことと、
前記第２のデバイスに前記トーンマップを送信することと、を備える、方法。
【請求項２】
前記第１のデバイスにおいて、前記第２のデバイスからの送信の信号対雑音比（ＳＮＲ）測定値を測定することと、
前記ＳＮＲ測定値に基づいて前記第１の周波数に関する前記送信電力情報を決定することと、をさらに備える請求項１に記載の方法。
【請求項３】
前記送信電力情報を決定することは、
前記第１の周波数に関するより低い送信電力が前記第１の周波数の性能を劣化させずに第２の周波数の性能を向上させることになると決定することを含む請求項２に記載の方法。
【請求項４】
前記ＳＮＲ測定値は、前記第１の周波数に関連する少なくとも第１のＳＮＲ測定値と、前記複数の周波数の第２の周波数に関連する第２のＳＮＲ測定値と、を含む請求項２に記載の方法。
【請求項５】
トーンマップ値に関する搬送波専用フィールド内に含めることができる可能な数値のある１つの範囲内にあるカスタムトーンマップ値を選択することと、
前記変調情報及び前記送信電力情報の組み合わせを表すために前記カスタムトーンマップ値を前記トーンマップ値として使用することと、をさらに備える請求項１に記載の方法。
【請求項６】
前記カスタムトーンマップ値は、前記通信チャネルに関して指定されたシンボル変調レートと予め関連付けられない請求項５に記載の方法。
【請求項７】
前記カスタムトーンマップ値に関連する前記変調情報及び前記送信電力情報の前記組み合わせをコンフィギュレーションメッセージで前記第２のデバイスに伝達することをさらに備える請求項５に記載の方法。
【請求項８】
前記コンフィギュレーションメッセージは、前記トーンマップを送信する前に送信される請求項７に記載の方法。
【請求項９】
前記コンフィギュレーションメッセージは、前記トーンマップの一部分内に含められる請求項７に記載の方法。
【請求項１０】
前記カスタムトーンマップ値は、変調情報及び送信電力情報の複数の組み合わせを有するルックアップテーブルへのインデックスを表す請求項７に記載の方法。
【請求項１１】
前記第１の周波数に関する第１の信号対雑音（ＳＮＲ）と第２の周波数に関する第２のＳＮＲとの間の差がスレショルド値よりも高い場合に前記第１の周波数に関する送信電力を低減させるように前記第１の周波数に関する前記送信電力情報を設定することをさらに備える請求項１に記載の方法。
【請求項１２】
前記第１の周波数に関する信号対雑音（ＳＮＲ）がスレショルド値よりも高い場合に前記第１の周波数に関する送信電力を低減させるように前記第１の周波数に関する前記送信電力情報を設定することをさらに備える請求項１に記載の方法。
【請求項１３】
前記第１の周波数に関する前記ＳＮＲに基づいて前記送信電力情報を設定する前に前記第１の周波数に関する前記変調レートを選択することをさらに備える請求項１２に記載の方法。
【請求項１４】
第１のデバイスであって、
前記第１のデバイスと第２のデバイスとの間における通信チャネルを有するネットワークに結合することができるネットワークインタフェースと、
前記第１のデバイスと第２のデバイスとの間の前記通信チャネルに関するトーンマップを作成するように構成されたトーンマップモジュールであって、前記トーンマップは、少なくとも第１の周波数を含む複数の周波数の各々に関する物理層送信プロパティを含み、前記物理層送信プロパティは、前記少なくとも第１の周波数に関する変調情報と送信電力情報とを含むトーンマップモジュールと、を備え、
前記トーンマップモジュールは、前記ネットワークインタフェースを介して前記第２のデバイスに前記トーンマップを送信するように構成される、第１のデバイス。
【請求項１５】
前記第１のデバイスにおいて、前記第２のデバイスからの送信の信号対雑音比（ＳＮＲ）測定値を測定するように構成された信号対雑音比（ＳＮＲ）測定ユニットをさらに備え、前記トーンマップモジュールは、前記ＳＮＲ測定値に基づいて前記第１の周波数に関する前記送信電力情報を決定するように構成される請求項１４に記載の第１のデバイス。
【請求項１６】
前記送信電力情報を決定するように構成される前記トーンマップモジュールは、
前記第１の周波数に関するより低い送信電力が前記第１の周波数の性能を劣化させずに第２の周波数の性能を向上させることになると決定するように構成される前記トーンマップモジュールを含む請求項１５に記載の第１のデバイス。
【請求項１７】
前記ＳＮＲ測定値は、前記第１の周波数に関連する少なくとも第１のＳＮＲ測定値と、前記複数の周波数の第２の周波数に関連する第２のＳＮＲ測定値と、を含む請求項１５に記載の第１のデバイス。
【請求項１８】
前記トーンマップモジュールは、
トーンマップ値に関する搬送波専用フィールド内に含めることができる可能な数値のある１つの範囲内にあるカスタムトーンマップ値を選択し、及び
前記変調情報及び前記送信電力情報の組み合わせを表すために前記カスタムトーンマップ値を前記トーンマップ値として使用するようにさらに構成される請求項１４に記載の第１のデバイス。
【請求項１９】
前記カスタムトーンマップ値は、前記通信チャネルに関して指定されたシンボル変調レートと予め関連付けられない請求項１８に記載の第１のデバイス。
【請求項２０】
前記トーンマップモジュールは、
前記カスタムトーンマップ値に関連する前記変調情報及び前記送信電力情報の前記組み合わせをコンフィギュレーションメッセージで前記第２のデバイスに伝達するようにさらに構成される請求項１８に記載の第１のデバイス。
【請求項２１】
前記コンフィギュレーションメッセージは、前記トーンマップを送信する前に送信される請求項２０に記載の第１のデバイス。
【請求項２２】
前記コンフィギュレーションメッセージは、前記トーンマップの一部分内に含められる請求項２０に記載の第１のデバイス。
【請求項２３】
コンピュータプログラムコードを格納している非一時的なコンピュータによって読み取り可能な媒体であって、前記コンピュータプログラムコードは、第１のデバイスのプロセッサによって実行されたときに、
前記第１のデバイスと第２のデバイスとの間の通信チャネルに関するトーンマップを作成することを前記第１のデバイスに行わせる命令であって、前記トーンマップは、少なくとも第１の周波数を含む複数の周波数の各々に関する物理層送信プロパティを含み、前記物理層送信プロパティは、前記少なくとも第１の周波数に関する変調情報と送信電力情報とを含む命令と、
前記第２のデバイスに前記トーンマップを送信することを前記第１のデバイスに行わせる命令と、を備える、非一時的なコンピュータによって読み取り可能な媒体。
【請求項２４】
前記コンピュータプログラムコードは、前記第１のデバイスの前記プロセッサによって実行されたときに、
前記第１の周波数に関するより低い送信電力が前記第１の周波数の性能を劣化させずに第２の周波数の性能を向上させることになると決定することを前記第１のデバイスに行わせる命令をさらに備える請求項２３に記載の非一時的なコンピュータによって読み取り可能な媒体。
【請求項２５】
前記コンピュータプログラムコードは、前記第１のデバイスの前記プロセッサによって実行されたときに、
前記第１のデバイスにおいて、前記第２のデバイスからの送信の信号対雑音比（ＳＮＲ）測定値を測定すること、及び
前記ＳＮＲ測定値に基づいて前記第１の周波数に関する前記送信電力情報を決定することを前記第１のデバイスに行わせる命令をさらに備える請求項２３に記載の非一時的なコンピュータによって読み取り可能な媒体。
【請求項２６】
前記ＳＮＲ測定値は、前記第１の周波数に関連する少なくとも第１のＳＮＲ測定値と、前記複数の周波数の第２の周波数に関連する第２のＳＮＲ測定値と、を含む請求項２５に記載の非一時的なコンピュータによって読み取り可能な媒体。
【請求項２７】
前記コンピュータプログラムコードは、前記第１のデバイスの前記プロセッサによって実行されたときに、
トーンマップ値に関する搬送波専用フィールド内に含めることができる可能な数値のある１つの範囲内にあるカスタムトーンマップ値を選択し、及び
前記変調情報及び前記送信電力情報の組み合わせを表すために前記カスタムトーンマップ値を前記トーンマップ値として使用することを前記第１のデバイスに行わせる命令をさらに備える請求項２３に記載の非一時的なコンピュータによって読み取り可能な媒体。
【請求項２８】
前記カスタムトーンマップ値は、前記通信チャネルに関して指定されたシンボル変調レートと予め関連付けられない請求項２７に記載の非一時的なコンピュータによって読み取り可能な媒体。
【請求項２９】
前記プログラムコードは、前記第１のデバイスの前記プロセッサによって実行されたときに、
前記カスタムトーンマップ値に関連する前記変調情報及び前記送信電力情報の前記組み合わせをコンフィギュレーションメッセージで前記第２のデバイスに伝達することを前記第１のデバイスに行わせる命令をさらに備える請求項２７に記載の非一時的なコンピュータによって読み取り可能な媒体。
【請求項３０】
通信チャネルを介して通信するためにネットワークに結合することができる装置であって、
第１のデバイスにおいて、前記第１のデバイスと第２のデバイスとの間の通信チャネルに関するトーンマップを作成するための手段であって、前記トーンマップは、少なくとも第１の周波数を含む複数の周波数の各々に関する物理層送信プロパティを含み、前記物理層送信プロパティは、前記少なくとも第１の周波数に関する変調情報と送信電力情報とを含む手段と、
前記第２のデバイスに前記トーンマップを送信するためのネットワークインタフェースと、を備える、装置。
【請求項３１】
前記第１のデバイスにおいて、前記第２のデバイスからの送信の信号対雑音比（ＳＮＲ）測定値を測定するための手段と、
前記ＳＮＲ測定値に基づいて前記第１の周波数に関する前記送信電力情報を決定するための手段と、をさらに備える請求項３０に記載の装置。
【請求項３２】
トーンマップ値に関する搬送波専用フィールド内に含めることができる可能な数値のある１つの範囲内のカスタムトーンマップ値を選択するための手段と、
前記変調情報及び送信電力情報の組み合わせを表すために前記カスタムトーンマップ値を前記トーンマップ値として使用するための手段と、をさらに備える請求項３０に記載の装置。
【発明の詳細な説明】
【技術分野】
【０００１】
関連出願
［０００１］本出願は、米国特許一連番号第１３／７９８，６０２（出願日：２０１３年３月１３日）の優先権利益を主張するものである。
【背景技術】
【０００２】
［０００２］発明の主題の実施形態は、概して、ネットワーク送信分野に関するものであり、より具体的には、多搬送波送信における搬送波変調及び搬送波送信電力を調整することに関するものである。
【０００３】
［０００３］より良いチャネル推定及び通信チャネルを通じての送信の好適化を可能にすることを目的して通信技術が進化中である。例えば、多くの技術、例えば、電力線通信、では、第１のデバイスと第２のデバイスとの間の媒体が多搬送波送信をサポートすることができる。その他の媒体及び技術も、複数の周波数が通信チャネルを通じて使用される多搬送波送信を使用することができる。（例えば、周波数を介しての）信号を介しての送信の品質の１つの測定値として使用することができるインジケータは、信号対雑音比（ＳＮＲ）又は信号対干渉及び雑音（ＳＩＮＲ）を含む。
【０００４】
［０００４］ＳＩＮＲに関する公式は、Ｐ／（Ｉ＋Ｎ）として定義することができ、ここで、Ｐは、受信された電力を表し、Ｉは、その他の同時送信の干渉電力を表し、Ｎは、雑音（例えば、背景雑音又は間欠雑音）を表す。しばしばであるが、“雑音”は、干渉及び背景雑音又は間欠雑音を含むと定義される。従って、信号対雑音比を測定するときには、その測定値は、幾つかのシステムでは互換可能な形でＳＮＲ又はＳＩＮＲと呼ぶことができる。
【０００５】
［０００５］ＳＮＲは、受信機が送信された信号を解釈する能力と密接な相関関係を有するため、信号を介しての送信の品質の１つの測定値として使用される。伝統的なシステムでは、ＳＮＲは、送信された信号の電力レベルと相関させることもできる。送信された信号の電力レベルが高いときには、ＳＮＲは高く、逆に、送信された信号の電力レベルが低いときには、ＳＮＲは低い。
【発明の概要】
【０００６】
［０００６］多搬送波通信チャネルの特定の周波数に関する物理層送信プロパティを定義することを含む様々な実施形態が開示され、物理層送信プロパティは、変調情報及び電力レベル情報の両方を含む。この開示では、物理層送信プロパティは、トーンマップメッセージ内に含めることができる。
【０００７】
［０００７］一実施形態においては、第１のデバイスと第２のデバイスとの間の通信チャネルのために第１のデバイスにおいてトーンマップが作成され、トーンマップは、少なくとも第１の周波数を含む複数の周波数の各々に関する物理層送信プロパティを含み、物理層送信プロパティは、少なくとも第１の周波数に関する変調情報及び送信電力情報を含む。トーンマップは、第２のデバイスに送信される。
【０００８】
［０００８］幾つかの実施形態においては、通信チャネルを介しての通信を調整するための方法は、第１のデバイスにおいて、第１のデバイスと第２のデバイスとの間の通信チャネルに関するトーンマップを作成することであって、トーンマップは、少なくとも第１の周波数を含む複数の周波数の各々に関する物理層送信プロパティを含み、物理層送信プロパティは、少なくとも第１の周波数に関する変調情報及び送信電力情報を含むことと、第２のデバイスにトーンマップを送信することと、を備える。
【０００９】
［０００９］幾つかの実施形態においては、方法は、第１のデバイスにおいて、第２のデバイスからの送信の信号対雑音比（ＳＮＲ）測定値を測定することと、ＳＮＲ測定値に基づいて第１の周波数に関する送信電力情報を決定することと、をさらに備える。
【００１０】
［００１０］幾つかの実施形態においては、送信電力情報を該決定することは、第１の周波数に関するより低い送信電力が第１の周波数の性能を劣化させずに第２の周波数の性能を向上させると決定することを含む。
【００１１】
［００１１］幾つかの実施形態においては、ＳＮＲ測定値は、第１の周波数に関連する少なくとも第１のＳＮＲ測定値と、複数の周波数のうちの第２の周波数に関連する第２のＳＮＲ測定値と、を含む。
【００１２】
［００１２］幾つかの実施形態においては、方法は、トーンマップ値に関する搬送波専用フィールド内に含めることができる可能な数値のある１つの範囲内のカスタムトーンマップ値を選択することと、変調情報及び送信電力情報の組み合わせを表すためにカスタムトーンマップ値をトーンマップ値として使用することと、をさらに備える。
【００１３】
［００１３］幾つかの実施形態においては、カスタムトーンマップ値は、通信チャネル専用のシンボル変調レートとは予め関連付けられない。
【００１４】
［００１４］幾つかの実施形態においては、方法は、カスタムトーンマップ値に関連する変調情報及び送信電力情報の組み合わせをコンフィギュレーションメッセージで第２のデバイスに伝達することをさらに備える。
【００１５】
［００１５］幾つかの実施形態においては、コンフィギュレーションメッセージは、トーンマップを送信する前に送信される。
【００１６】
［００１６］幾つかの実施形態においては、コンフィギュレーションメッセージは、トーンマップの一部分に含められる。
【００１７】
［００１７］幾つかの実施形態においては、カスタムトーンマップ値は、変調情報及び送信電力情報の複数の組み合わせを有するルックアップテーブルのインデックスを表す。
【００１８】
［００１８］幾つかの実施形態においては、方法は、第１の周波数に関する第１の信号対雑音（ＳＮＲ）と第２の周波数に関する第２のＳＮＲとの間の差がスレショルド値よりも高い場合に第１の周波数に関する送信電力を低減させるように第１の周波数に関する送信電力情報を設定することをさらに備える。
【００１９】
［００１９］幾つかの実施形態においては、方法は、第１の周波数に関する第１の信号対雑音（ＳＮＲ）がスレショルド値よりも高い場合に第１の周波数に関する送信電力を低減させるように第１の周波数に関する送信電力情報を設定することをさらに備える。
【００２０】
［００２０］幾つかの実施形態においては、方法は、第１の周波数に関するＳＮＲに基づいて送信電力情報を設定する前に第１の周波数に関する変調レートを選択することをさらに備える。
【００２１】
［００２１］幾つかの実施形態においては、第１のデバイスは、第１のデバイスと第２のデバイスとの間の通信チャネルに関するトーンマップを作成するように構成されたトーンマップモジュールを、第１のデバイスと第２のデバイスとの間で通信チャネルを有するネットワークに結合することが可能なネットワークインタフェースを備え、トーンマップは、少なくとも第１の周波数を含む複数の周波数の各々に関する物理層送信プロパティを含み、物理層送信プロパティは、少なくとも第１の周波数に関する変調情報と送信電力情報とを含み、トーンマップモジュールは、ネットワークインタフェースを介して第２のデバイスにトーンマップを送信するように構成される。
【００２２】
［００２２］幾つかの実施形態においては、第１のデバイスは、第１のデバイスにおいて、第２のデバイスからの送信の信号対雑音比（ＳＮＲ）測定値を測定するように構成された信号対雑音比（ＳＮＲ）測定ユニットをさらに備え、トーンマップモジュールは、ＳＮＲ測定値に基づいて第１の周波数に関する送信電力情報を決定するように構成される。
【００２３】
［００２３］幾つかの実施形態においては、送信電力情報を決定するように構成されるトーンマップモジュールは、第１の周波数に関するより低い送信電力が第１の周波数の性能を劣化させずに第２の周波数の性能を向上させると決定するように構成されるトーンマップモジュールを含む。
【００２４】
［００２４］幾つかの実施形態においては、ＳＮＲ測定値は、第１の周波数に関連する少なくとも第１のＳＮＲ測定値と、複数の周波数のうちの第２の周波数に関連する第２のＳＮＲ測定値と、を含む。
【００２５】
［００２５］幾つかの実施形態においては、トーンマップモジュールは、トーンマップ値に関する搬送波専用フィールド内に含めることができる可能な数値のある１つの範囲内のカスタムトーンマップ値を選択し、及び、変調情報及び送信電力情報の組み合わせを表すためにカスタムトーンマップをトーンマップ値として使用するようにさらに構成される。
【００２６】
［００２６］幾つかの実施形態においては、カスタムトーンマップ値は、通信チャネル専用のシンボル変調レートとは予め関連付けられない。
【００２７】
［００２７］幾つかの実施形態においては、トーンマップモジュールは、カスタムトーンマップ値に関連する変調情報及び送信電力情報の組み合わせをコンフィギュレーションメッセージで第２のデバイスに伝達するようにさらに構成される。
【００２８】
［００２８］幾つかの実施形態においては、コンフィギュレーションメッセージは、トーンマップを送信する前に送信される。
【００２９】
［００２９］幾つかの実施形態においては、コンフィギュレーションメッセージは、トーンマップの一部分に含められる。
【００３０】
［００３０］幾つかの実施形態においては、コンピュータプログラムコードを格納する非一時的なコンピュータによって読み取り可能な媒体であって、コンピュータプログラムコードは、第１のデバイスのプロセッサによって実行されたときに、第１のデバイスと第２のデバイスとの間の通信チャネルに関するトーンマップを作成することを第１のデバイスに行わせる命令であって、トーンマップは、少なくとも第１の周波数を含む複数の周波数の各々に関する物理層送信プロパティを含み、物理層送信プロパティは、少なくとも第１の周波数に関する変調情報と送信電力情報とを含む命令と、第２のデバイスにトーンマップを送信することを第１のデバイスに行わせる命令と、を備える。
【００３１】
［００３１］幾つかの実施形態においては、コンピュータプログラムコードは、第１のデバイスのプロセッサによって実行されたときに、第１の周波数に関するより低い送信電力が第１の周波数の性能を劣化させずに第２の周波数の性能を向上させると決定することを第１のデバイスに行わせる命令をさらに備える。
【００３２】
［００３２］幾つかの実施形態においては、コンピュータプログラムコードは、第１のデバイスにおいて、第２のデバイスからの送信の信号対雑音比（ＳＮＲ）測定値を測定すること、及び、ＳＮＲ測定値に基づいて第１の周波数に関する送信電力情報を決定することを第１のデバイスに行わせる命令をさらに備える。
【００３３】
［００３３］幾つかの実施形態においては、ＳＮＲ測定値は、第１の周波数に関連する少なくとも第１のＳＮＲ測定値と、複数の周波数のうちの第２の周波数に関連する第２のＳＮＲ測定値と、を含む。
【００３４】
［００３４］幾つかの実施形態においては、コンピュータプログラムコードは、第１のデバイスのプロセッサによって実行されたときに、トーンマップ値に関する搬送波専用フィールド内に含めることができる可能な数値のある１つの範囲内のカスタムトーンマップ値を選択すること、及び、変調情報及び送信電力情報の組み合わせを表すためにカスタムトーンマップ値をトーンマップ値として使用することを第１のデバイスに行わせる命令をさらに備える。
【００３５】
［００３５］幾つかの実施形態においては、カスタムトーンマップ値は、通信チャネル専用のシンボル変調レートとは予め関連付けられない。
【００３６】
［００３６］幾つかの実施形態においては、コンピュータプログラムコードは、第１のデバイスのプロセッサによって実行されたときに、カスタムトーンマップ値に関連する変調情報及び送信電力情報の組み合わせをコンフィギュレーションメッセージで第２のデバイスに伝達することを第１のデバイスに行わせる命令をさらに備える。
【００３７】
［００３７］幾つかの実施形態においては、通信チャネルを介して通信するためにネットワークに結合することができる装置であって、その装置は、第１のデバイスにおいて、第１のデバイスと第２のデバイスとの間の通信チャネルに関するトーンマップを作成するための手段であって、トーンマップは、少なくとも第１の周波数を含む複数の周波数の各々に関する物理層送信プロパティを含み、物理層送信プロパティは、少なくとも第１の周波数に関する変調情報及び送信電力情報を含む手段と、第２のデバイスにトーンマップを送信するためのネットワークインタフェースと、を備える。
【００３８】
［００３８］幾つかの実施形態においては、装置は、第１のデバイスにおいて、第２のデバイスからの送信の信号対雑音比（ＳＮＲ）測定値を測定するための手段と、ＳＮＲ測定値に基づいて第１の周波数に関する送信電力情報を決定するための手段と、をさらに備える。
【００３９】
［００３９］幾つかの実施形態においては、装置は、トーンマップ値に関する搬送波専用フィールド内に含めることができる可能な数値のある１つの範囲内のカスタムトーンマップ値を選択するための手段と、変調情報及び送信電力情報の組み合わせを表すためにカスタムトーンマップ値をトーンマップ値として使用するための手段と、をさらに備える。
【図面の簡単な説明】
【００４０】
［００４０］本実施形態は、添付される図面を参照することによってより良く理解され、数多くの目的、特徴及び利点が当業者にとって明らかになるであろう。
【図１】［００４１］本開示の様々な実施形態例において使用される通信ネットワークを示したシステム図例である。
【図２】［００４２］ネットワークを通じて通信するための通信システムのブロック図である。
【図３】［００４３］電力スペクトル密度プロフィールの例である。
【図４】［００４４］物理層送信プロパティを決定及び使用するための動作例を描いたメッセージ流れ図である。
【図５】［００４５］物理層送信プロパティを決定するための動作例を示した流れ図である。
【図６】［００４５］物理層送信プロパティを決定するための動作例を示した流れ図である。
【図７】［００４６］物理層送信プロパティが構成されるトーンマップを処理するための送信デバイスにおける動作例を示した流れ図である。
【図８】［００４７］トーンマップメッセージに関するメッセージフォーマット例である。
【図９】［００４８］物理層送信プロパティを調整するための通信ユニットを含む電子デバイスの一実施形態のブロック図例である。
【発明を実施するための形態】
【００４１】
［００１８］以下の説明は、本発明の主題の技法を具現化する典型的なシステム、方法、技法、命令シーケンス及びコンピュータプログラム製品を含む。しかしながら、説明される実施形態は、これらの具体的な詳細なしで実践可能であることが理解される。例えば、例は、トーンマップに含まれている値例を意味するが、変調調整及び電力レベル調整の両方に関して物理層送信プロパティを通信するためにその他メッセージ内にその他の値を含めることができる。その他の例においては、よく知られた命令例、プロトコル、構造及び技法は、説明を曖昧にしないようにすることを目的として、詳細には示されていない。
【００４２】
［００５０］多搬送波通信チャネルに関する物理層送信プロパティを定義することを含む様々な実施形態が開示される。１つ以上の周波数（すなわち、“トーン”）において使用される物理層送信プロパティは、トーンマップメッセージに含められる。伝統的なトーンマップは、トーンマップの選択された周波数に関する送信電力の微細な制御を可能にすることができない。後述されるように、伝統的なトーンマップは、特定の周波数の送信電力に関係なく変調モードを伝達するように構築される。本開示においては、トーンマップは、変調モード及び特定の周波数に関する送信電力を示す物理層送信プロパティを含む。一実施形態においては、物理層送信プロパティは、より低い信号対雑音比（ＳＮＲ）を有する第２の周波数に関して性能が向上するようにするために高いＳＮＲを有する第１の周波数における送信電力を低減させるために選択することができる。他の実施形態においては、送信電力は、第２の周波数において性能が向上するようにするために使用できないほど低いＳＮＲを有する第１の周波数における送信電力を低減させることができる。
【００４３】
［００５１］本開示により、デバイスは、特定の周波数に関連するＳＮＲ測定値に基づいて特定の周波数に関する物理層送信プロパティ（例えば、送信電力）を決定することができる。トーンマップは、通信チャネルで使用される複数の周波数の各々に関する変調レート及び送信電力を伝達するために使用することができる。一実施形態においては、物理層送信プロパティは、追加のオーバーヘッドなしで修正されたトーンマップを用いて伝達される。
【００４４】
［００５２］本開示においては、例は、電力線通信技術に基づいて提供される。ここにおける技法は、第１のデバイスと第２のデバイスとの間の通信チャネルを通じて多搬送波送信を使用するその他の技術に対して適用することができることが理解されるべきである。本開示における例は、トーンマップ及び電力線通信を対象にしているが、本開示の適用範囲は、そのようには限定されるべきではない。むしろ、本開示は、様々な通信技術における様々な物理層送信プロパティを調整することとともに使用することができる。用語チャネル推定、チャネル好適化情報、トーンマップ、等は、電力線通信技術の当業者にとっては共通の用語である一方で、その他の通信技術において同様の意味を有する類似の用語を有することができる。
【００４５】
［００５３］図１は、本開示の様々な実施形態例で使用されるネットワーク構成例を示したシステム１００を示す。システムは、ネットワーク１１５を介して通信可能な形で結合された第１のデバイス１１０と第２のデバイス１２０とを含む。第１のデバイス及び第２のデバイスは、ノード又は局と呼ぶこともできる。システム例１００においては、ネットワーク１１５は、第１のデバイス１１０と第２のデバイス１２０との間の電力線通信（ＰＬＣ）ネットワーク接続であることができる。
【００４６】
［００５４］ネットワーク１１５は、１つ以上の異なるタイプのネットワークを含むことができることが理解されるべきである。例えば、ネットワーク１１５は、ローカルエリアネットワーク（ＬＡＮ）、例えば、会社のイントラネット又はホームネットワーク、を含むことができる。幾つかの実装においては、ネットワーク１１５は、メトロポリタンエリアネットワーク（ＭＡＮ）又はワイドエリアネットワーク（ＷＡＮ）、例えば、インターネット、を含むことができる。その他の実装においては、ネットワーク１１５は、１つ以上の異なるタイプのネットワークの組み合わせを含むことができる。例えば、ＬＡＮ、例えば、ホームネットワーク、は、外部のアクセスネットワークに接続することができる。該場合においては、１つ以上のゲートウェイデバイスが２つの異なるネットワーク間のインタフェースとして働くことができる。
【００４７】
［００５５］幾つかの実装においては、ネットワーク１１５は、共有される媒体、例えば、電話線網又は同軸ケーブル網、に接続された１つ以上のネットワークデバイスを備える。１つ以上のネットワークデバイスは、１つ以上のゲートウェイデバイスを介して外部のネットワーク、例えば、インターネット、に接続することができる。ゲートウェイデバイスは、あらゆるタイプ及び形態の接続によって外部のネットワークに接続することができ、ブロードバンド接続又はダイアルアップ接続を含む。ゲートウェイデバイスは、１つ以上のブリッジを介してその他のホームネットワークセグメントに接続することができる。ホームネットワークセグメントは、ホームネットワーキング技術、例えば、電力線ネットワークに基づくそれ、に基づくことができる。
【００４８】
［００５６］ネットワーク１１５は、あらゆるタイプ及び形態であることができ、及び、以下のうちのいずれかを含むことができる。すなわち、ポイント・ツー・ポイントネットワーク、ブロードキャストネットワーク、同期光ネットワーク（ＳＯＮＥＴ）、同期デジタルヒエラルキー（ＳＤＨ）ネットワーク、無線ネットワーク及び有線ネットワーク。ネットワーク１１５が少なくとも部分的に有線ネットワークである場合は、ネットワーク１１５は、次のうちの１つ以上を含むことができる。すなわち、同軸ケーブル、電力線ワイヤ、より対線又はその他のいずれかの形態及びタイプのワイヤ。ネットワーク１１５のトポロジーは、バス、スター又はリングトポロジー、又は、ここにおいて説明される動作をサポートすることが可能なその他のトポロジーであることができる。
【００４９】
［００５７］幾つかの実装においては、ネットワーク１１５は、バックホールネットワークへのアクセスを提供するブロードバンドパワーラインネットワーク（ＢＰＬＮ）であることができる。ＢＰＬＮは、基礎になる物理的な電力線媒体へのアクセスを有するサービスプロバイダエンティティによって管理することができる。ＢＰＬＮは、スマートグリッド管理、ブロードバンドインターネットアクセス、音声及び映像デリバリーサービス、等を含む幾つかのタイプの用途のために使用することができる汎用ネットワークである。様々な実装において、ＢＰＬＮは、低電圧、中間電圧及び高電圧電力線において配備することができる。さらに、ＢＰＬＮは、近隣全体にわたることができ、又は、単一の集合住宅住戸内に配備することができる。例えば、それは、単一のアパート内の住人にネットワークサービスを提供するために使用することができる。電力線は、ＢＰＬＮを配備するための１つの媒体である一方で、その他のワイヤ線、例えば、同軸ケーブル、より対線又はそれらの組み合わせに関しても同様の技術を配備することができる。
【００５０】
［００５８］幾つかの実装においては、第１及び第２のデバイス１１０、１２０は、ホームネットワーキング技術を用いて互いに通信するホームネットワーク（ＨＮ）のノードであることができる。第１及び第２のデバイス１１０、１２０は、様々な通信プロトコルのうちのいずれかを用いて互いに通信することができる。一実装においては、ネットワーク内の各ノードは、送信を成功裏に受信する上で十分に近くに所在するその他の局に送信を送るためにノードによって使用される物理（ＰＨＹ）層プロトコルを用いて通信“局”として通信することができる。図１において、第１のデバイス１１０は、第１のデバイス１１０をネットワーク１１５に結合するためのネットワークインタフェース１０４を含む。第１のデバイス１１０は、ＰＨＹコントローラ１０８と、トーンマップモジュール１０６と、も含む。ＰＨＹコントローラ１０８は、ネットワークインタフェース１０４によって使用されるべき物理層送信プロパティを設定するためにトーンマップモジュール１０６と調整して動作する。同様に、第２のデバイス１２０は、第１のデバイス１１０内の同じユニットに対応する機能及びプロトコルを有するネットワークインタフェース１２４と、ＰＨＹコントローラ１２８と、トーンマップモジュール１２６と、も含む。
【００５１】
［００５９］ＰＨＹ層の幾つかの実装は、ＯＦＤＭ変調を使用する。ＯＦＤＭ変調では、データは、ＯＦＤＭ“シンボル”の形で送信される。各シンボルは、予め決定された持続時間、すなわち、シンボル時間Ｔｓを有する。各シンボルは、互いに直交であり及びＯＦＤＭ搬送波を形成するＮ個の正弦搬送波波形の重ね合わせから生成される。各搬送波は、シンボルの始まりから測定されたピーク周波数ｆｉ及び位相Φｉを有する。これらの互いに直交な搬送波の各々に関して、正弦波形の整数の期間がシンボル時間Ｔｓ内に含まれる。同等に、各搬送波周波数は、周波数間隔の整数倍であるΔｆ＝１／Ｔｓ。搬送波波形の位相Φｉ及び振幅Ａｉは、結果的に得られる変調された波形の直交性に影響を与えずに（該当する変調方式に従って）独立して選択することができる。搬送波は、ＯＦＤＭ帯域幅と呼ばれる周波数ｆ１乃至ｆＮの周波数範囲を占める。
【００５２】
［００６０］図１の構造上の特徴について説明した後は、本開示において説明される様々な実施形態は、図１の構造上の特徴によって実行される動作に関連して説明することができる。図１の特徴は、一例として提供されたものであり、様々な説明される実施形態の適用範囲を限定するものではないことが繰り返し述べられるべきである。さらに、説明される動作の一部又は全部は、幾つかの実装においては独立して実行すること又はまったく実行しないことができる。
【００５３】
［００６１］図１を参照し、ネットワーク１１５は、第１のデバイス１１０と第２のデバイス１２０との間における通信チャネルを備える。この例では、ネットワーク１１５は、同じ通信媒体を通じての直交周波数分割多重（ＯＦＭＤ）の使用を含む。いずれかの２つのデバイス間の通信チャネルは、異なる振幅及び位相応答を有することができる。従って、各搬送波に関する送信プロパティを好適化すると、より高いデータレートを得ることができる。幾つかの搬送波は、通信チャネルでの使用に関して選択から外され（例えば、マスキングされ）、他方、その他の搬送波は、各搬送波に関連する品質に依存してより高い又はより低い変調レート及びデータレートを利用することができる。損なわれた周波数をオフにすることによって、近隣周波数でのビット誤り率を低下させることができる。残りの周波数に関しては、各搬送波に関する変調、コーディングレート、及び誤り訂正に関する選択を行うことで、高度に最適化されたリンクスループットを得ることができる。チャネル品質は、各搬送波に関して決まった間隔で推定され、（例えば、トーンマップに含まれている）物理層送信プロパティは、データを送信するためにいずれの搬送波が使用されるか、及び、使用されるべき変調のタイプ及び誤り訂正コーディングを示す。
【００５４】
［００６２］例えば、ＨｏｍｅＰｌｕｇ（登録商標）ＡＶは、“適応型ビットローディング”をサポートするためにトーンマップを使用する。適応型ビットローディングは、通信チャネルによってサポートすることができる最高の可能性があるデータレートを達成するために各搬送波を異なる形で変調することができることを説明するための他の方法である。低質の受信された信号を有する搬送波は、シンボル当たり搬送波当たり２ビットを提供する二位相偏移変調（ＢＰＳＫ）をサポートすることができる。他方の極端においては、非常に高質の受信された信号を有する搬送波は、シンボル当たり搬送波当たり１０ビットを提供する１０２４ＱＡＭをサポートすることが可能である。適応型ビットローディングは、ＯＦＤＭ信号内のすべての搬送波が所定のライン状態に関して可能なかぎり多くのデータを搬送するのを可能にする。しかしながら、適応型ビットローディングは、受信機におけるすべての搬送波の信号強度が、パケットを送信する前に送信機によって知られていることを要求することがある。その結果、同じネットワーク内のＨｏｍｅＰｌｕｇ  ＡＶデバイスは、トーンマップの形態のチャネル状態についての最新の知識を維持するためにサウンディングパケット（ｓｏｕｎｄｉｎｇ  ｐａｃｋｅｔ）を定期的にやり取りする。
【００５５】
［００６３］典型的には、通信チャネルを通じての各搬送波（周波数）に関連する品質を決定するためにチャネル推定プロセスが使用される。チャネル推定プロセス例においては、第１のデバイス１１０は、第２のデバイス１２０によって検出及び測定することができる信号を送信する。第２のデバイス１２０は、各搬送波に関する通信を決定するために受信信号の品質特性を解析する。例えば、ＰＨＹコントローラ１２８は、ＳＮＲ測定を行うことができる。チャネル推定プロセスが完了した時点で、第２のデバイス１２０は、物理層送信プロパティ（“チャネル好適化情報”と呼ぶこともできる）をトーンマップの形で作成して第１のデバイス１１０に戻すことができる。例えば、トーンマップモジュール１２６は、物理層プロトコルに従って構築されたトーンマップメッセージを準備してそのトーンマップメッセージを送信することができ、従って、第１のデバイス１１０のトーンマップモジュール１０６は、トーンマップメッセージを解釈することができる。物理層送信プロパティは、変調のためのセッティング、送信電力、搬送波使用法、前方誤り制御、ガード間隔スペース、周波数又は時分割多重、等を含むことができる。第２のデバイス１２０は、第１のデバイス１１０に新しいトーンマップを送信することによって何時でもトーンマップを更新することができる。
【００５６】
［００６４］伝統的なトーンマップは、特定の周波数に関する全体的なチャネル品質及びスループット能力に基づく。例えば、チャネル品質推定プロセスは、通信チャネルの各周波数に関して可能なかぎり最大の送信レートを決定するために使用することができる。伝統的なトーンマップは、通信チャネルで使用される１つ以上の搬送波に関する送信プロパティ（例えば、変調、コーディングレート、誤り訂正、等）を含む。従って、トーンマップは、典型的には、各搬送波に関する送信プロパティを定義するチャネル好適化情報を含む。トーンマップは、受信デバイスから送信デバイスに通信される。幾つかの変形においては、受信デバイスは、通信チャネルの時間領域内の異なる期間において使用されるべき複数のトーンマップを生成することができる。例えば、電力サイクルの下り部分のために第１のトーンマップを割り当てることができ、電力サイクルのピーク部分中に第２のトーンマップを使用することができる。それらの異なるトーンマップは、電力サイクルの各期間中にいずれの物理層送信プロパティを使用すべきかを送信デバイスに指図するために受信デバイスによって提供することができる。典型的には、トーンマップは、通信チャネルの各搬送波に関して可能なかぎり最高の変調レートを提供するために割り当てられる。フルトーンマップは、各搬送波に関する物理層送信プロパティを含むことができる。幾つかのシステム例においては、フルトーンマップを通信することは、各搬送波に関して提供される情報の量に起因して相対的に大量のオーバーヘッド帯域幅を追加することができる。例えば、ＨｏｍｅＰｌｕｇ  ＡＶ信号内には１１５５の搬送波が存在する。（ＨｏｍｅＰｌｕｇ  ＡＶによって占められるスペクトルは、約１．８ＭＨｚから３０ＭＨｚに延びており、１１５５の別々に変調された搬送波（トーン）に分割されるが、すべての周波数搬送波が使用されるわけではない。）
［００６５］本開示の実施形態により、デバイスは、周波数に関連するＳＮＲを検出し、そのＳＮＲに基づいて周波数に関する送信電力調整値を伝達することができる。送信電力レベル及び変調モードを搬送波ごとに調整することによって性能（全体的システムスループット）を向上させることができる幾つかのシナリオが存在することができる。通信システムでは、最適な性能を達成する能力が実際上のハードウェアに関する限界による影響を受ける。例えば、送信信号及び受信信号を増幅するために使用される電力利得増幅器は、利得増幅量が増大されるのに応じて歪みを導入する可能性がある。さらに、送信機及び受信機のダイナミックレンジは、デジタル−アナログ変換器及びアナログ−デジタル変換器の分解能によって制限される。規制に関する要件は、最大の放射妨害波を設定することによってダイナミックレンジを制限することがある。従って、幾つかの周波数は、その他よりも有意に低い電力で送信することができる。従って、ＳＮＲは、多搬送波通信チャネルで使用される各周波数に関して異なることができる。
【００５７】
［００６６］一実施形態例においては、角括弧Ａにおいて、各搬送波の性能は、測定された信号のＳＮＲに基づいて測定することができる。角括弧Ｂにおいて、第２のデバイス１２０から第１のデバイス１１０に送信されたトーンマップは、複数の搬送波（周波数）の各々に関する物理層送信プロパティを含む。物理層送信プロパティは、変調情報と、送信電力情報と、を含む。幾つかの実装においては、変調情報及び送信電力情報の両方を伝達するためにトーンマップ内の一意の値を使用することができる。
【００５８】
［００６７］トーンマップメッセージを用いて各々の搬送波ごとに電力レベルを調整することによって、全体的なシステムスループットを向上させることができる。可能な電力調整値は、受信機によって搬送波当たりのＳＮＲ値及び受信された電力レベルを解析することによって決定することができる。搬送波当たりのＳＮＲ値は、新しいトーンマップの形で送信デバイスに通信される送信電力調整値を決定するために解析することができる。代替として、ＳＮＲ情報、又はそれから派生した情報は、トーンごとの変調モード及び電力レベルの最適なバランスを達成するために送信デバイスと共有することができる。
【００５９】
［００６８］幾つかの実装においては、送信電力レベルは、特定の周波数に関するスループットに影響を与えずにそれらの特定の周波数において低下させることができる。例えば、既に高いＳＮＲを有する搬送波に関しては、信号強度は、その搬送波で使用される変調に関して既に十分であると思われる。従って、その搬送波に関する送信電力を低減させることは、その搬送波に関する性能の低下を引き起こさない。他方、既に高いＳＮＲを有する搬送波に関する送信電力を低減させる結果として隣接する搬送波における性能が向上することができる。
【００６０】
［００６９］幾つかのシナリオ例においては、幾つかの周波数は、周波数に関するシンボル変調レートをサポートする上で要求されるよりも高いＳＮＲを有することができる。例えば、通信チャネルは、結果的に得られるＳＮＲはより低くなる可能性があるにもかかわらずより低い送信電力を用いてデータを伝達することができる。第１のトーンにおける送信電力を低減させることは、第１のトーンを介してのデータの送信を成功させることができるが、１つ以上のその他のトーンにおけるＳＮＲの増大というプラスの影響を有することができる。
【００６１】
［００７０］幾つかのシステムにおいては、高いＳＮＲは、その結果として、最大ビットレートまでのより高い変調レートを選択することができる。しかしながら、搬送波は、高いＳＮＲを依然として有する一方でＰＨＹプロトコルによってサポートされる最大ビットレート（変調）に設定することができる。ビットレートは増大させることができないため、高いＳＮＲは、搬送波にとって過度であるとみなされることがある。送信電力レベルを低下させることによって、ＳＮＲを低下させることができ、通信チャネルの全体的な性能を向上させることができる。
【００６２】
［００７１］その他のトーンにおける増大したＳＮＲは、第１のトーンの送信信号電力が低減されるのに応じて送信増幅器によって導入される歪みの低減に起因して向上することができる。デジタル−アナログ変換器内の送信機における及びアナログ−デジタル変換器内の受信機における量子化雑音の影響を低減させることができ、全体的なダイナミックレンジも縮小することができる（より低いＳＮＲの信号に関してより多くの個別レベルを利用することを可能にする）。従って、送信電力を低減させた結果として、周波数に関する特定の変調レートを用いてデータを伝達する上で依然として十分であるＳＮＲが得られる場合は、その周波数に関する送信電力を低減させることが望ましい。
【００６３】
［００７２］その他のシナリオ例においては、幾つかの周波数は、外部の雑音源に起因して非常に低いＳＮＲを有することがあり（それらの周波数ではデータを信頼できる形ではほとんど又はまったく送信できないことを意味する）。これらのシナリオでは、非常に不良なトーンにおける電力は、その他のトーンにおけるＳＮＲを向上させるために低減させること（又は排除すること）ができる。その他のトーンにおけるＳＮＲは、（上述されるように）歪みが低減した結果として、又は、損傷が雑音ではなく減衰である場合にその他のトーンにおける電力を増大させることによって、向上することができる。
【００６４】
［００７３］典型的には、ＳＮＲは、受信デバイスにおいて検出される。伝統的なシステムでは、送信電力の調整は、受信デバイスによって提供されたＳＮＲフィードバック又はその他の品質メトリックに基づいて送信デバイスによって行うことができる。本開示の少なくとも１つの実施形態により、送信電力調整値は、搬送波当たりの変調プロパティを指定するトーンマップメッセージ内に含めることができる。
【００６５】
［００７４］図２は、通信媒体２０４を通じて受信機２０６に信号（ＯＦＤＭシンボルのシーケンス）を送信するための送信機２０２を含む通信システム２００のブロック図である。送信機２０２及び受信機２０６は、両方とも、各デバイス（例えば、第１及び第２のデバイス１１０、１２０）におけるネットワークインタフェースモジュール内に組み入れることができる。通信媒体２０４は、電力線ネットワークを通じての１つのデバイスから他への経路を代表することができる。
【００６６】
［００７５］送信機２０２において、ＰＨＹ層を実装するモジュールは、ＭＡＣ層プロトコルデータユニット（ＭＰＤＵ）をＭＡＣ層から受信する。ＭＰＤＵは、処理、例えば、スクランブリング、誤り訂正コーディング及びインターリービング、を行うために符号器モジュール２２０に送信される。符号化されたデータは、マッピングモジュール２２２内に送られ、それは、現在のシンボルに関して使用される信号点配置（例えば、ＢＰＳＫ、ＱＰＳＫ、８−ＱＡＭ、１６−ＱＡＭ信号点配置）に依存して、データビットのグループ（例えば、１、２、３、４、６、８、又は１０ビット）を選択し、及び、それらのビットによって表されるデータ値を、現在のシンボルの搬送波波形の同相（Ｉ）成分及び直角位相（Ｑ）成分の対応する振幅上にマッピングする。この結果、各データ値は、実数部がピーク周波数ｆｉを有する搬送波のＩ成分に対応し、虚数部がＱ成分に対応する、対応する複素数Ｃｉ＝Ａｉｅｘｐ（ｊΦｉ）と関連付けられる。代替として、データ値を変調された搬送波波形に関連付けるあらゆる該当する変調方式を使用することができる。
【００６７】
［００７６］マッピングモジュール２２２は、ＯＦＤＭ帯域幅内の搬送波周波数ｆ１、．．．、ｆＮのうちのいずれが情報を送信するためにシステム２００によって使用されるかを決定することもできる。例えば、フェードを経験中の搬送波は回避することができ、それらの搬送波では情報は送信されない。電力を放射することができる媒体２０４における制限された帯域（例えば、アマチュア無線帯域）に対応する搬送波（例えば、搬送波ｉ＝１０）に関しては、それらの搬送波ではエネルギーを送信することができない（例えば、Ａ１０＝０）。マッピングモジュール２２２は、トーンマップに従って各々の搬送波（又は“トーン”）で使用されるべき変調のタイプを決定することもできる。トーンマップは、以下においてさらに詳細に説明されるように、デフォルトのトーンマップ、又は、受信局によって決定されたカスタム化されたトーンマップ、であることができる。通信媒体２０４において信号が送信される電力レベルは、同じくトーンマップに含めることができる電力レベル調整値（例えば、利得又は低減）と関連付けることができる。
【００６８】
［００７７］逆離散フーリエ変換（ＩＤＦＴ）モジュール２２４は、ピーク周波数ｆｉ、．．．、ｆＮを有するＮ個の直交搬送波波形においてマッピングモジュール２２２によって決定された結果的に得られたＮ個の複素数の組（それらのうちの幾つかは、使用されない搬送波に関してゼロであることができる）の変調を行うことができる。変調された搬送波は、離散時間シンボル波形を形成するためにＩＤＦＴモジュール２２４によって結合される。
【００６９】
［００７８］後処理モジュール２２６は、連続的な（重なり合う可能性のある）シンボルのシーケンスを結合して、通信媒体２０４を通じて連続ブロックとして送信することができる“シンボルセット”にすることができる。後処理モジュール２２６は、自動利得制御（ＡＧＣ）及びシンボルタイミング同期化のために使用することができるプリアンブルをシンボルセットに添付する。（例えば、システム２００及び／又は通信媒体２０４における不完全性に起因する）シンボル間干渉及び搬送波間干渉を軽減するために、後処理モジュール２２６は、各シンボルの最後の部分のコピーであるサイクリックプリフィックスを用いて各シンボルを拡張することができる。後処理モジュール２２６は、その他の機能、例えば、（例えば、2乗余弦窓又はその他のタイプのパルス整形窓を用いて）シンボルセット内のシンボルの部分組にパルス整形窓を適用する、及びシンボル部分組をオーバーラップさせる、も実行することができる。
【００７０】
［００７９］アナログフロントエンド（ＡＦＥ）モジュール２２８は、シンボルセットの連続時間（例えば、ローパスフィルタリングされた）バージョンが入ったアナログ信号を通信媒体２０４に結合する。通信媒体２０４を通じての波形Ｓ（ｔ）の連続時間バージョンの送信の影響は、通信媒体を通じての送信のインパルス応答を表す関数ｇ（τ、ｔ）を有する畳み込みによって表すことができる。通信媒体２０４は、雑音ｎ（ｔ）を加えることができ、それは、ジャマ−によって放出されるランダム雑音及び／又は狭帯域雑音であることができる。
【００７１】
［００８０］受信機２０６において、ＰＨＹ層を実装するモジュールは、通信媒体２０４から信号を受信し、ＭＡＣ層に関するＭＰＤＵを生成することができる。ＡＦＥモジュール２３０は、サンプリングされた信号データ及びタイミング情報を離散フーリエ変換（ＤＦＴ）モジュール２３６に提供するために自動利得制御（ＡＧＣ）モジュール２３２及び時間同期化モジュール２３４と共同して動作することができる。受信機２０６は、信号を生成及び送信するために使用されるトーンマップを知っていることもできることが理解されるべきである。従って、ＡＧＣモジュール２３２は、トーンマップの一部として含められた電力レベル調整値を考慮に入れるように構成することもできる。
【００７２】
［００８１］サイクリックプリフィックスを取り除いた後に、受信機２０６は、（Ｎ点ＤＦＴを行うことによって）符号化されたデータ値を表すＮ個の複素数のシーケンスを抽出するためにサンプルされた離散時間シンボルをＤＦＴモジュール２３６内に送り込む。復調器／復号器モジュール２３８は、対応するビットシーケンス上に複素数をマッピングし、ビットの該当する復号を行う（デインターリービング及びデスクランブリングを含む）。
【００７３】
［００８２］送信機２０２又は受信機２０６内のモジュールを含む通信システム２００のモジュールのうちのいずれも、ハードウェア、ソフトウェア、又はハードウェアとソフトウェアの組み合わせにおいて実装することができる。
【００７４】
［００８３］ホームネットワーキングシステムは、共通して、家内の電話線、電力線又は同軸ケーブルを通信媒体として使用する。幾つかの場合は、様々なノードの対の間には信号減衰及び雑音特性のばらつきが存在する可能性がある。該事例においては、ホームネットワークシステムは、所定の一対のノード間での一意の物理層符号化パラメータ（例えば、変調レート、前方誤り訂正コードレート）の選択を可能にするチャネル好適化手順を使用することができる。このアプローチ法は、現在のチャネル特性に従って対のノード間で達成することができる物理的データレートの最適化を可能にする。
【００７５】
［００８４］幾つかの実装においては、チャネル特性は、受信機への送信から伝播するのに応じた信号の減衰（及び歪み）に依存する。その他の実装においては、チャネル特性は、ネットワーク内の雑音に依存することができる。信号減衰（及び歪み）及び雑音の結合した影響は、一対のノード間で達成することができる物理層データレートを決定することができる。より高い物理的データレートは、より厳しい及び／又はよりデータ集約的な用途をサポートするのを可能にする。チャネル特性は、チャネルの品質又はどの程度信頼できる形でチャネルを伝わって情報が送信されるかも決定することができる。インジケータ及び品質の尺度は、例えば、ビット誤り率（ＢＥＲ）又はシンボル誤り率（ＳＥＲ）を含むことができる。概して、低質のチャネルは、伝達するメッセージを歪ませやすく、他方、高質のチャネルは、伝達するメッセージの完全性を保持する。幾つかの実装においては、通信エンティティ間の通信チャネル間で使用中のチャネルの品質は、行先がソースから正確にメッセージを受信する確率を左右する。
【００７６】
［００８５］図３は、電力スペクトル密度（ＰＳＤ）プロフィール例３００を示す。ＰＳＤプロフィール３００は、１つの通信システム例に関して許容される最大送信電力の典型的な分布を提示する。例においては、周波数帯域は、ｆ１−ｆ２からの第１の周波数帯域３０１と、ｆ２−ｆ３からの第２の周波数帯域３０２と、ｆ３−ｆ４からの第３の周波数帯域と、を含む。図３の例においては、各周波数帯域は、フラットＰＳＤに関連する。その他のＰＳＤプロフィールにおいては、最大電力送信は、周波数と線形で変化することができる。概して、ＰＳＤは、異なる周波数において異なることができ、まとめて、所定の周波数帯域に関するＰＳＤプロフィールを定義することができる。
【００７７】
［００８６］ほとんどの通信システムに関して、規制当局、例えば、米国の連邦通信委員会（ＦＣＣ）では、デバイスから送信される電力に対して限度を課すことになる放出限度（放射、伝導又はその他の）を規定している。典型的には、通信装置のメーカーは、規制上の制限から最大許容ＰＳＤプロフィールを導き出している。ＰＳＤプロフィール３００は、北米におけるある一定の周波数帯域（この例では、０乃至１００ＭＨｚ）に関する規制を満たすための電力線通信システムに関する最大許容ＰＳＤを代表することができる。この例では、送信電力限度は、第１の周波数帯域３０１では−５０ｄＢｍ／Ｈｚに実質的に等しく、第２の周波数帯域３０２では−８０ｄＢｍ／Ｈｚに実質的に等しい。この例は、周波数帯域０乃至１００ＭＨｚを示すが、電力線通信システム、等の通信システムは、１００ＭＨｚを超える帯域を含むその他の周波数帯域で動作することができる。
【００７８】
［００８７］図３において描かれるＰＳＤプロフィールから、ネットワークのノード間での通信のために使用される送信電力は、該通信のために使用中の周波数に依存することがわかる。例えば、図３のＰＳＤプロフィール例３００を参照し、その周波数が第１の周波数帯域３０１内にある信号は、−５０ｄＢｍ／Ｈｚの最大ＰＳＤで送信することができ、その周波数が第２の周波数帯域３０２内にある信号は、わずか−８０ｄＢｍ／Ｈｚの最大ＰＳＤで送信することができる。
【００７９】
［００８８］概して、所定の周波数に関して最大許容電力（又はＰＳＤ）で送信することは、その結果として、その周波数に関する最良のスループットが得られる。しかしながら、幾つかの実装においては、その周波数に関する最大許容レベルよりも低いレベルまでＰＳＤを引き下げるのが望ましい。例えば、図３の周波数帯域３０１及び３０２に関連する最大送信電力の差について検討する。周波数帯域全体にわたっており、各帯域において最大許容レベルを使用する広帯域信号を生成するために同じハードウェア、例えば、単一のデジタル−アナログ変換器が送信機において使用される場合は、第２の周波数帯域３０２内の信号は、第１の周波数帯域３０１内の信号よりも少ない離散レベルで表される。この結果、第２の周波数帯域３０２内の信号のほうが量子化雑音が高くなり、忠実度が制限されることになる。幾つかの事例においては、量子化雑音は、信号が、振幅にかかわらず、デジタル−アナログ変換器の入力範囲全体にまたがるためにその変換器の入力部においてスケーリングされるときに増幅されることがある。アナログ受信された信号をデジタルレベルに変換する受信変換器においても同じ原則が当てはまる。幾つかの実装においては、増大した量子化雑音に起因する誤りは、第１の周波数帯域３０１内の電力又はＰＳＤを低減させることによって軽減することができる。第１の周波数帯域３０１のＰＳＤの該低減は、その結果として、第２の周波数帯域のＰＳＤとの差が小さくなり、それによって量子化雑音の影響を低減させることができる。例えば、ＰＳＤ差が６ｄＢだけ小さくなった場合は、第２の周波数帯域３０２内の量子化雑音は半減する。換言すると、ネットワークの２つのノード間の通信チャネルに依存して、１つの周波数帯域内の最大電力からの低減は、他の周波数帯域に関する変換器内の忠実度に利得を提供することができる。
【００８０】
［００８９］従って、特定の通信システムに関する特定の周波数における電力を低減させることが望ましい。本開示により、特定の周波数に関するカスタムＰＳＤレベルを、変調特性も通信するトーンマップメッセージ内に含めることができる。幾つかの実施形態においては既存のトーンマップメッセージフォーマットを利用することによってオーバーヘッドを低減させることができる。
【００８１】
［００９０］図４は、本開示の実施形態による動作例を描いたメッセージ流れ図４００である。幾つかの実装においては、該動作は、送信機における電力節約、送信された信号のスペクトル整形及び通信チャネルを介して結合された第１のデバイス４１０と第２のデバイス４２０との間のリンクの最適化のうちのり１つ以上の可能にする。動作は、送信電力レベルを調整するための１つ以上の周波数帯域を決定することを含む。
【００８２】
［００９１］４１２において、第１のデバイス４１０及び第２のデバイス４２０は、通信チャネルを介して結合される。４２２において、第１のデバイス４１０は、特殊なタイプのトレーニング信号を第２のデバイス４２０に送信することができる。トレーニング信号（又はＳＯＵＮＤパケットと時折呼ばれる）は、特定の範囲又は帯域の周波数でデータパケットとして送信され、最大送信ＰＳＤに関する要件を満たしている。幾つかの実装においては、送信ノードは、選択の対象として有限の組の周波数帯域を有することができる。該事例においては、ノードは、周波数帯域の各々でトレーニング信号又はＳＯＵＮＤパケットを送信する。ネットワーク内の受信機は、これらのパケットをモニタリングし、周波数範囲又は周波数帯域内の様々な搬送波の信号対雑音比（ＳＮＲ）を収集する。例えば、４１８において、第２のデバイス４２０は、通信チャネルの各々の搬送波に関連するＳＮＲを決定するために信号を測定することができる。
【００８３】
［００９２］幾つかの実装においては、第２のデバイス４２０は、様々なパラメータ、例えば、搬送波ごとに使用されるべき変調のタイプ、使用されるべきコードレート及び第１のデバイス４１０によって使用されるべきガード間隔、を決定するためにこのＳＮＲ情報を使用する。変調情報に加えて、第２のデバイス４２０は、ＳＮＲが１つ以上の隣接する周波数と比較して過度であるか又は比較的大きいかどうかを決定することもできる。ＳＮＲが過度であるか又は比較的大きい場合は、第２のデバイス４２０は、搬送波に関する電力レベル低下率を決定することができる。ＳＮＲは、搬送波の品質を劣化させずに又は搬送波に関する変調レートを低下させずにＳＮＲの低減が可能である場合に過度であるとみなされる。
【００８４】
［００９３］例えば、４１８における動作は、送信機と受信機との間におけるデータパケットの送信のために使用される周波数のグループに関するＰＳＤを調整することをさらに含むことができる（ステップ４１０）。ＰＳＤが調整される周波数のグループは、様々な方法で選択することができる。幾つかの実装においては、グループは、すべての周波数が最高の許容可能なＰＳＤを有する周波数帯域内に存在するような形で選択される。幾つかの実装においては、グループは、周波数のうちの少なくとも一部が最高の許容可能なＰＳＤを有する周波数帯域内に存在し、グループ内のその他の周波数が相対的により低い許容可能なＰＳＤを有する周波数帯域内に存在するような形で選択される。
【００８５】
［００９４］周波数のグループに関するＰＳＤは、様々な方法で調整することができる。幾つかの実装においては、最高の許容可能なＰＳＤを有する周波数帯域内のＰＳＤは、その他の帯域とのＰＳＤの差が低減されるような形で低減される。例えば、図３を再度参照し、第１の周波数帯域３０１における２０ｄＢｍ／Ｈｚの低減は、第１の周波数帯域３０１における送信ＰＳＤを−７０ｄＢｍ／Ｈｚに低減させ、それによって、第２の周波数帯域３０２とのＰＳＤの差を、３０ｄＢｍ／Ｈｚのオリジナルの差と対比して１０ｄＢｍ／Ｈｚに低減させる。すべての周波数に関する信号を処理するために同じハードウェアの組（例えば、特定の組の量子化レベルを使用するデジタル−アナログ変換器（ＤＡＣ）又はアナログ−デジタル変換器（ＡＤＣ））が使用される場合は、帯域幅３０１と３０２との間のＰＳＤ差の低減は、その結果として、周波数帯域３０２で送信される信号に関する量子化誤りがより少なくなる。概して、３つ以上の周波数帯域が存在することができる。周波数帯域の数又は離散周波数の数にかかわらず、すべての周波数帯域又は周波数に関する信号を処理するために同じハードウェアの組が使用される場合は、量子化誤りは、送信ＰＳＤが互いに近い場合により少なくなる。換言すると、送信ＰＳＤプロフィールがフラットであればあるほど、量子化誤りは少なくなる。しかしながら、送信ＰＳＤを低減させることは、その結果として、総送信電力が低減し、それによって信号対雑音比（ＳＮＲ）を下げる。従って、幾つかの実装においては、送信ＰＳＤを低減させることは、量子化雑音とその他の雑音、例えば、送信機と受信機との間のチャネルによって導入される雑音、との間のトレードオフを生じさせる。概して、周波数帯域におけるＰＳＤは、より低い許容可能なＰＳＤを有する帯域内の量子化誤りがスレショルド値よりも小さく、全体的なＳＮＲも許容可能な範囲内にあるような形で低減される。
【００８６】
［００９５］変調情報及び電力レベル調整値は、トレーニング信号を受信したことに応答して第１のデバイス４１０に送信される（矢印４２４として示される）トーンマップとしてまとめて送信することができる。４３２において、第１のデバイス４１０は、トーンマップを承認すること及び／又は第１のデバイス４１０から第２のデバイス４２０へのさらなる送信のためにトーンマップを利用することができる。
【００８７】
［００９６］代替実施形態においては、リンクに適する最良の送信電力スペクトルを決定するためのその他の技法が存在することができる。幾つかの実装においては、上述されるトーンマップは、その目的のために使用することができる。例えば、第１のデバイス４１０は、様々な利用可能な電力レベル（４４２として示される）においてトレーニング信号又はＳＯＵＮＤパケットを送信することができる。それに応答して、第１のデバイス４１０は、様々なトーンマップを受信することができる（示されていない）トーンマップから、第１のデバイス４１０は、すべての異なる電力レベルに関するリンク品質を比較することができる。これで、最高のリンク速度を生み出す電力レベルを選択することができる。
【００８８】
［００９７］図５は、物理層送信プロパティを決定するための動作例を示した流れ図５００である。５４０において、流れ図は、第１のデバイスにおいて、第１のデバイスと第２のデバイスとの間の通信チャネルに関するトーンマップを作成することを含み、トーンマップは、少なくとも第１の周波数を含む複数の周波数の各々に関する物理層送信プロパティを含み、物理層送信プロパティは、少なくとも第１の周波数に関する変調情報及び送信電力情報を含む。５５０において、流れ図は、第２のデバイスにトーンマップを送信することを含む。
【００８９】
［００９８］図６は、物理層送信プロパティを決定するための動作例を示した流れ図６００である。プロセスは、チャネル推定プロセスによって開始する。例えば、６２０において、受信デバイスは、送信デバイスから信号を受信し、信号強度を測定する。６３０において、受信デバイスは、信号に基づいて各搬送波に関するＳＮＲを決定する。６４０において、受信デバイスは、物理層送信プロパティを有するトーンマップを作成する。物理層送信プロパティは、通信チャネルで使用される１つ以上の搬送波に関する変調情報及び電力レベル情報を含むことができる。
【００９０】
［００９９］６５０において、受信デバイスは、トーンマップメッセージで送信デバイスにトーンマップを送信する。後続して、受信デバイスは、６７０において送信デバイスからデータ又はその他の信号を受信する。幾つかの実装においては、受信デバイスは、後続して受信された信号に基づいて６３０、６４０、及び６５０において動作を繰り返すことができる。
【００９１】
［００１００］受信デバイスは、信号が受信される相手である各送信デバイスに関して別々に流れ図６００の動作を行うことができる。さらに、変調情報及び電力レベル情報を有するトーンマップは、電力線サイクルの時間部分と関連することができる。受信デバイスは、これらの動作に従って特定の送信デバイスに関する複数のトーンマップを作成することができ、従って、各トーンマップは、電力線サイクルの異なる時間部分に関連する。
【００９２】
［００１０１］図７は、送信デバイスにおける動作例を示した流れ図７００である。７２０において、送信デバイスは、受信デバイスによって測定されるべき信号を送信することによってチャネル推定プロセスに参加する。信号は、物理層プロトコルに従って送信されるパイロット又は基準信号を備えることができる。７５０において、送信デバイスは、パイロット又は基準信号に応答して受信デバイスからトーンマップを受信する。トーンマップは、通信チャネルで使用される複数の搬送波の各々に関する物理層送信プロパティを含む。７６０において、送信デバイスは、トーンマップに従って各搬送波の電力及び変調を調整する。７７０において、送信デバイスは、調整された電力及び変調プロパティを用いてさらなるメッセージ、データ、又は信号を送信する。
【００９３】
［００１０２］図８は、トーンマップメッセージに関するメッセージフォーマット例８００である。幾つかの実装においては、トーンマップメッセージは、データユニット又はデータパケットの形で通信される。これらの実装のうちの一部においては、データユニットは、物理層プロトコルを物理層プロトコルデータユニット（ＰＰＤＵ）、例えば、ＰＰＤＵ８２０、として使用して、電話線媒体、電力線ケーブル又は同軸ケーブルを通じて送信することができる。データユニット又はパケットは、局に引き渡されるべき情報を有するペイロード部を含むことができ、及び、オーバーヘッド情報を含むことができる。ペイロード部は、例えば、（例えば、幾つかの場合は、より高位の層のプロトコルのパケットの形での）アプリケーションデータ及び／又は管理情報を含むことができる。オーバーヘッド情報は、ペイロード内の情報の符号化又は変調に関連する又はネットワーク内の局によって使用される通信プロトコルに関連する情報を含むことができる。オーバーヘッド情報は、例えば、データユニットの始まりを検出するために使用されるプリアンブル８２２と、プリアンブルの後及びデータユニットの前のヘッダ８２４（フレーム制御フィールドとも呼ばれる）と、送信の完全性を検査するために使用されるペイロードの後のトレーリングフレーム検査シーケンス８２６と、を含むことができる。以下においてより詳細に説明されるように、幾つかの場合においては、オーバーヘッド情報の一部又は全部を、所定のペイロード変調方式に従ってペイロードの一部として含めることができる。
【００９４】
［００１０３］通信媒体を通じて送信される信号波形への又は信号波形からのデータを変換するネットワークインタフェースモジュールの一部分を実装するために様々な通信システムアーキテクチャのうちのいずれかを使用することができる。局において走っているアプリケーションは、セグメントでネットワークインタフェースモジュールにデータを提供し、セグメントでネットワークインタフェースモジュールからデータを受信する。“ＭＡＣサービスデータユニット”（ＭＳＤＵ）は、ＭＡＣ層によって受信される情報のセグメントである。ＭＡＣ層は、“ＭＡＣプロトコルデータユニット”を生成するために受信されたＭＳＤＵを処理してそれらを準備する。ＭＰＤＵは、（例えば、管理情報及びオーバーヘッド情報を有する）ヘッダ及びＭＡＣ層が転送するようにＰＨＹ層に要請しているペイロードフィールドを含む情報のセグメントである。ＭＰＤＵは、送信中のデータのタイプに基づいた様々なフォーマットのうちのいずれかを有することができる。“ＰＨＹプロトコルデータユニット（ＰＰＤＵ）”は、物理層によって電力線を通じて送信されるＭＰＤＵを表す変調された信号波形を意味する。
【００９５】
［００１０４］１つのトーンマップメッセージ例８００において、ＰＰＤＵ８２０のペイロード８１０は、トーンマップデータから成る。トーンマップデータは、トーンマップデータの以前の集合とトーンマップデータを区別するためのトーンマップ識別子８５２及びタイムスタンプ又はバージョン情報８５４を含むことができる。トーンマップデータは、複数の搬送波Ｆ１−ｘの各々に関する物理層送信プロパティ８５６を含む。例えば、搬送波プロパティ８５６は、通信チャネルで使用される搬送波の各々に関する搬送波フィールド８６２、８６４、８６６を含むことができる。搬送波フィールドは、各搬送波に関して等しいサイズの固定ビット長フィールドを備えることができる。搬送波フィールドは、通信チャネルで使用される特定の周波数に関する直交振幅変調（ＱＡＭ）レートを示すために使用される。
【００９６】
［００１０５］前述されるように、及び当業者によってよく知られるように、ＱＡＭは、周波数における２つの搬送波の振幅を変調することによってビットデータを運ぶ。２つの搬送波は、通常は正弦波であり、互いに９０度だけ位相がずれており、直交成分と呼ばれる。異なるビットを表す直交成分の組み合わせを表すために信号点配置図上の信号点を使用することができる。例えば、１６−ＱＡＭ変調レートでは、信号点配置図内には１６の点が存在する。各信号点は、一意の４ビット値に関連することができる。従って、１６−ＱＡＭは、搬送波周波数当たりのシンボル当たり４ビットのデータを送信することに関連すると言うことができる。２５６−ＱＡＭ変調レートは、搬送波周波数当たりのシンボル当たり８ビットのデータを送信することに関連する。１０２４−ＱＡＭ変調レートは、搬送波周波数当たりのシンボル当たり１０ビットのデータを送信することに関連する。４０９６−ＱＡＭ変調レートは、搬送波周波数当たりのシンボル当たり１２ビットのデータを送信することに関連する。
【００９７】
［００１０６］各周波数に関してＱＡＭ変調レートに関連する信号点の数を送信するのではなく、搬送波フィールド８６２、８６４、８６６は、変調レートを表すためにより小さい値を備えることができる。トーンマップデータ例８１０においては、各周波数に関してシンボル変調レート（搬送波周波数当たりのシンボル当たりのビット数）が含まれる。例えば、あるトーンが１０２４−ＱＡＭに関連する場合は、トーンマップは、そのトーンに関して値“１０”を含むことができる（１６進値“Ａ”又は“０×Ａ”としても表される）。４０９６−ＱＡＭに関連するトーンに関しては、値“１２”（又は１６進“０×Ｃ”）がトーンに関して含められる。従って、トーンマップ内の各トーンに関して、各トーンに関してシンボル変調レートを伝達するために４ビットを含めることができる。４ビットは、特定の周波数に関するシンボル変調レートを伝達するために使用することができる可能な値の０乃至１５（又は０×０乃至０×Ｆ）の範囲を提供する。幾つかのシステム例では、最大シンボル変調レートは、規格仕様によって指定されている。例えば、４０９６−ＱＡＭは、周波数における最大許容変調レートであることができる。従って、１２（０×Ｃ）の値は、規格に準拠するトーンマップ内に典型的に含められる周波数の変調レートに関する最大値であることができる。値０乃至３及び１３乃至１５は、規格仕様によってサポートされている有効なＱＡＭ変調方式のシンボル変調レートに関連しないため、規格に準拠するトーンマップ内では未使用である（又は予約する）ことができる。
【００９８】
［００１０７］本開示の一実施形態により、トーンマップは、特定の周波数に関するシンボル変調レート及び送信電力調整値を伝達するために使用することができる。例えば、周波数に関するトーンマップ内に含まれる値は、シンボル変調レート及び送信電力調整値を表すことができる。例えば、トーンマップは、シンボル変調レート及び送信電力調整値の組み合わせを表すために予約された値のうちの１つを含むことができる。一例として、ネットワークシステム例はＱＡＭ−１６３８４を許容しないため、１４（又は０×Ｅ）の値が予約値であることができる。一実施形態においては、１４（０×Ｅ）の値は、８０％の送信電力調整値を有するＱＡＭ−４０９６を表すように定義することができる。
【００９９】
［００１０８］典型的には、ある周波数がより低い変調レートにおいて高いＳＮＲを有する場合は、受信機は、その周波数に関する変調レートを増大させる。しかしながら、最大変調レート（例えば、ＱＡＭ−４０９６）に達した時点で、受信機が依然として高いＳＮＲを検出する場合は、受信機は、低減された送信電力での最大変調レート（例えば、ＱＡＭ−４０９６）を示すために予約値を使用し始めることができる。上述されるように、低減された送信電力は、依然として、ＱＡＭ−４０９６変調レートを用いて信頼できる形でデータを伝達することができるが、送信電力を低減させることは、通信チャネル内のその他の搬送波の性能を向上させることができる。
【０１００】
［００１０９］例えば、各々の特定の搬送波に関して４ビットの固定長フィールドを有する一例に基づいた搬送波フィールド８６２、８６４、８６６に関する潜在的値のリストが以下に示される。
【表１】
2016517214.tif 000003
【０１０１】
［００１１０］一実施形態においては、シンボルレート及び送信電力調整値の組み合わせを表すために様々な予約値を定義することができる。予約値は、システム全体で又は送信機ごとに定義することができる。例えば、所定のトーンマップ値への変調モード及び電力レベルの割り当ては、ネットワーク内の各送信機−受信機対に関して一意であることができる。予約された変調モードの使用について説明されているが、既存の変調モードを使用することも可能であり、その場合は、受信機は、トーンマップの他の部分を用いて電力レベル調整値を送信機に示すことになる。代替として、構成プロセス中に送信デバイスと受信デバイスとの間でカスタムトーンマップ値を設定することができ、このため、カスタムトーンマップ値は、受信デバイスと送信デバイスとの間でやり取りされる後続するトーンマップ内で使用することができる。代替として、トーンマップ値は、シンボル変調レート及び送信電力調整値の複数の組み合わせを有するルックアップテーブル内のインデックスを表すインデックス値に関連することができる。他の代替においては、トーンマップは、シンボル変調レート及び送信電力調整値の異なる組み合わせを表すためにカスタムトーンマップ値とともに使用される可変キー部分を含むように拡張することができる。
【０１０２】
［００１１１］例えば、定義フィールド８５８をトーンマップデータ内に含めることができる。定義フィールド８５８を使用することで、搬送波フィールド８６２、８６４、８６６で使用される値のうちのすべてに対してカスタムの意味を与えることができる。例えば、特定の変調及び電力レベル調整値に合わせて４ビット値のうちの１つ以上を再定義することができる。定義フィールド８５８内のキーは、各カスタム値に関連する変調情報及び電力レベル調整情報を含むことができる。
【０１０３】
［００１１２］図１乃至８及びここにおいて説明される動作は、実施形態について理解するのを援助するための例であり、実施形態又は請求項の範囲を限定するために使用すべきでないことが理解されるべきである。実施形態は、追加の動作、より少ない動作、異なる順序の動作、平行する動作、及び幾つかの異なる動作を行うことができる。
【０１０４】
［００１１３］例えば、受信デバイスが送信電力調整値を決定するのが最適である一方で、送信デバイスが特定の周波数に関する送信電力を調整することも可能である。例えば、受信デバイスは、ＳＮＲ測定値又はチャネル品質に関するその他の情報を送信デバイスに提供することができる。送信デバイスは、特定の搬送波に関する送信電力の低減の結果、特定の周波数に関してより低いが許容可能なＳＮＲを得ることができると決定することができる。例えば、通信チャネルによって許容される最大シンボル変調レート（例えば、ＱＡＭ４０９６）を使用するように構成される周波数に関しては、送信デバイスは、その周波数における送信電力を徐々に低減させることができる。送信デバイスは、特定の周波数における送信電力を低減させることが隣接する又は関連するその他の周波数のＳＮＲを向上させることができるかどうかを決定することができる。特定の周波数の送信電力を低減させた結果性能不良になる場合は、受信デバイスは、その周波数に関する変調レートを引き下げるための更新されたトーンマップを送信することができる。周波数に関する電力を以前に低減させていた送信デバイスは、更新されたトーンマップ内のより低い変調レートを使用すべきかどうか又は最後の徐々の変化前に使用された以前の送信電力に戻るべきかどうかを決定することができる。
【０１０５】
［００１１４］幾つかの実装においては、送信の有効性を測定するために（ＳＮＲに加えての又はＳＮＲに代わる）その他のメトリックを使用することができる。例えば、通信チャネルの品質を決定するためにパケット成功率（ＰＳＲ）メトリックを送信デバイスによって使用することができる。典型的には、送信ノードは、ＰＳＲが十分に高いかぎりにおいて特定のノードへの送信電力を低減させることができる。しかしながら、ネットワークの接続性を維持することも重要である。これを達成するために、幾つかの実装においては、送信ノードは、段階ごとに送信電力を低減させることができ、各々の低下された電力レベルに関して、ネットワーク内の各ノードにデータを送信してＰＳＲを観測することによってネットワーク接続性の有無を検査することができる。概して、送信デバイスは、ネットワーク接続性が維持されているかぎりにおいて送信電力を低減させることができる。
【０１０６】
［００１１５］幾つかの実装においては、送信ノードが固定されたトーンマップのうちのいずれかを用いてデータを送信する場合は、受信ノードは、各搬送波周波数で利用可能なＳＮＲマージンを推定することができる。幾つかの実装においては、受信ノードは、可能な電力低減量に関するフィードバックを送信機に提供することができる。送信機は、ネットワーク内のすべてのノードからこの情報を収集し、ネットワーク内のすべてのノードに関して接続性が維持されるように使用されるべき電力レベルを決定することができる。
【０１０７】
［００１１６］幾つかの実装においては、例えば、電力線ネットワークにおいては、ノードは、管理パケット（例えば、ビーコン送信）を定期的にブロードキャストする。送信ノードは、ネットワーク内の各ノードからのこれらの送信をモニタリングし、特定の行先ノードに関して可能な送信電力低減量を推定することができる。送信ノードは、これらの推定値を使用し、ネットワーク接続性が維持されるように送信電力レベルを引き下げることができるレベルを決定することができる。
【０１０８】
［００１１７］当業者によって評価されるように、本発明の主題の態様は、システム、方法、又はコンピュータプログラム製品として具現化することができる。従って、本発明の主題の態様は、完全にハードウェアの具現化、ソフトウェアの具現化（ファームウェア、常駐ソフトウェア、マイクロコード、等）又はソフトウェアとハードウェアの態様を組み合わせた具現化の形態をとることができ、すべて、ここにおいては概して“回路”、“モジュール”又は“システム”と呼ぶことができる。さらに、本発明の主題の態様は、コンピュータによって読み取り可能なプログラムコードが具現化されている１つ以上のコンピュータによって読み取り可能な媒体内におけるコンピュータプログラム製品の形態をとることができる。
【０１０９】
［００１１８］１つ以上の非一時的なコンピュータによって読み取り可能な媒体のあらゆる組み合わせを利用することができる。非一時的なコンピュータによって読み取り可能な媒体は、すべてのコンピュータによって読み取り可能な媒体を備え、一時的な伝播する信号のみが唯一の例外である。非一時的なコンピュータによって読み取り可能な媒体は、コンピュータによって読み取り可能な記憶媒体であることができる。コンピュータによって読み取り可能な記憶媒体は、例えば、電子、磁気、光学、電磁、赤外線、又は半導体のシステム、装置、又はデバイス、又は上記のあらゆる適切な組み合わせであることができ、ただし、それらに限定されない。コンピュータによって読み取り可能な記憶媒体のより具体的な例（徹底的でないリスト）は次を含む。すなわち、１つ以上のワイヤを有する電気的接続、ポータブルなコンピュータディスケット、ハードディスク、ランダムアクセスメモリ（ＲＡＭ）、読み取り専用メモリ（ＲＯＭ）、消去可能プログラマブル読み取り専用メモリ（ＥＰＲＯＭ又はフラッシュメモリ）、光ファイバ、ポータブルコンパクトディスク読み取り専用メモリ（ＣＤ−ＲＯＭ）、光記憶装置、磁気記憶装置、又は上記のあらゆる適切な組み合わせ。本明細書の文脈においては、コンピュータによって読み取り可能な記憶媒体は、命令実行システム、装置、又はデバイスによって又は命令実行システム、装置、又はデバイスと関係させて使用するためのプログラムを入れる又は格納することができるあらゆる有形な媒体であることができる。
【０１１０】
［００１１９］本発明の主題の態様に関する動作を実行するためのコンピュータプログラムコードは、１つ以上のプログラミング言語のあらゆる組み合わせで書くことができ、オブジェクト指向プログラミング言語、例えば、Ｊａｖａ（登録商標）、Ｓｍａｌｌｔａｌｋ、Ｃ＋＋、等、及び、従来の手続き型プログラミング言語、例えば、“Ｃ”プログラミング言語又は同様のプログラミング言語、を含む。プログラムコードは、ユーザのコンピュータにおいて全体的に、ユーザのコンピュータにおいて部分的に、独立型ソフトウェアパッケージとして、ユーザのコンピュータにおいて部分的に及びリモートコンピュータにおいて部分的に、又はリモートコンピュータ又はサーバにおいて全体的に実行することができる。後者のシナリオでは、リモートコンピュータは、ローカルエリアネットワーク（ＬＡＮ）又はワイドエリアネットワーク（ＷＡＮ）を含むあらゆるタイプのネットワークを通じてユーザのコンピュータに接続することができ、接続は、（例えば、インターネットサービスプロバイダを用いてインターネットを通じて）外部のコンピュータに対して行うことができる。
【０１１１】
［００１２０］本発明の主題の態様は、本発明の主題の実施形態による方法、装置（システム）及びコンピュータプログラム製品のフローチャート例示及び／又はブロック図を参照して説明されている。フローチャート例示及び／又はブロック図の各ブロック、及びフローチャート例示及び／又はブロック図内のブロックの組み合わせは、コンピュータプログラム命令によって実装できることが理解されるであろう。これらのコンピュータプログラム命令は、汎用コンピュータ、専用コンピュータ、又は、機械を生成するためのその他のプログラマブルなデータ処理装置のプロセッサに提供することができ、従って、命令は、コンピュータ又はその他のプログラマブルなデータ処理装置のプロセッサを介して実行されたときに、フローチャート及び／又はブロック図のブロック又はブロック（複数）において明記される機能／行為を実装するための手段を生成する。
【０１１２】
［００１２１］これらのコンピュータプログラム命令は、コンピュータ、その他のプログラマブルなデータ処理装置、又はその他のデバイスに対して特定の方法で機能するように指示することができるコンピュータによって読み取り可能な媒体内に格納することもでき、従って、コンピュータによって読み取り可能な媒体に格納される命令は、フローチャート及び／又はブロック図のブロック又はブロック（複数）において明記される機能／行為を実装するためのプロセスを提供することができる。
【０１１３】
［００１２２］コンピュータプロセッサ命令は、コンピュータによって実装されるプロセスを生み出すためにコンピュータ、その他のプログラマブルな装置又はその他のデバイスで一連の動作ステップが実行されるようにするためにそれらのコンピュータ、その他のプログラマブルな装置又はその他のデバイスにローディングすることもでき、従って、コンピュータ又はその他のプログラマブルな装置において実行する命令は、フローチャート及び／又はブロック図のブロック又はブロック（複数）において明記される機能／行為を実装するためのプロセスを提供することができる。
【０１１４】
［００１２３］図９は、物理層送信プロパティを調整するための通信ユニットを含む電子デバイス９００の一実施形態のブロック図例である。幾つかの実装においては、電子デバイス９００は、ラップトップコンピュータ、ネットブック、携帯電話、電力線通信デバイス、パーソナルデジタルアシスタント（ＰＤＡ）、又は、（ハイブリッド通信ネットワークを形成する）複数の通信ネットワークを通じて通信をやり取りするように構成されたハイブリッド通信ユニットを備えるその他の電子システムのうちの１つであることができる。電子デバイス９００は、プロセッサユニット９０２（可能なことに、複数のプロセッサ、複数のコア、複数のノード、及び／又は実装用のマルチスレッディング、等を含む）を含むことができる。電子デバイス９００は、メモリユニット９０６を含むことができる。メモリユニット９０６は、システムメモリ（例えば、キャッシュ、ＳＲＡＭ、ＤＲＡＭ、ゼロキャパシタＲＡＭ、ツイントランジスタＲＡＭ、ｅＤＲＡＭ、ＥＤＯ  ＲＡＭ、ＤＤＲ  ＲＡＭ、ＥＥＰＲＯＭ、ＮＲＡＭ、ＲＲＡＭ（登録商標）、ＳＯＮＯＳ、ＰＲＡＭ、等のうち１つ以上）又は機械によって読み取り可能な媒体の上述される可能な実現のうちの１つ以上であることができる。電子デバイス９００は、バス９１０（例えば、ＰＣＩ、ＩＳＡ、ＰＣＩ−Ｅｘｐｒｅｓｓ、ＨｙｐｅｒＴｒａｎｓｐｏｒｔ（登録商標）、ＩｎｆｉｎｉＢａｎｄ（登録商標）、ＮｕＢｕｓ、ＡＨＢ、ＡＸＩ、等）、及び、無線ネットワークインタフェース（例えば、ＷＬＡＮインタフェース、Ｂｌｕｅｔｏｏｔｈ（登録商標）インタフェース、ＷｉＭＡＸインタフェース、ＺｉｇＢｅｅ（登録商標）インタフェース、ワイヤレスＵＳＢインタフェース、等）及び有線ネットワークインタフェース（例えば、イーサネット（登録商標）インタフェース、電力線通信インタフェース、等）のうちの少なくとも１つを含むネットワークインタフェース９０４を含むこともできる。幾つかの実装においては、電子デバイス９００は、複数のネットワークインタフェースをサポートすることができ、それらの各々は、電子デバイス９００を異なる通信ネットワークに結合するよぅに構成される。
【０１１５】
［００１２４］電子デバイス９００は、ＳＮＲ測定ユニット９１２と、トーンマップモジュール９１４と、を含むこともできる。図１乃至８において上述されるように、トーンマップモジュール９１４は、変調情報及び電力レベル調整情報を有するトーンマップを各々の搬送波ごとに使用するための機能を実装することができる。ＳＮＲ測定ユニット９１２は、トーンマップモジュール９１４と調整する形で使用することができ、従って、ＳＮＲ測定ユニット９１２は、ＳＮＲ測定値及び／又はＳＮＲ測定値の解析をトーンマップモジュール９１４に提供することができる。トーンマップモジュール９１４は、本開示によりトーンマップを作成する際にＳＮＲ測定値を利用することができる。
【０１１６】
［００１２５］幾つかの実施形態においては、ＳＮＲ測定ユニット９１２及びトーンマップモジュール９１４は、通信ユニット９０８の一部として含めることができる。幾つかの実施形態においては、通信ユニット９０８は、専用プロセッサ（例えば、チップ上のシステム、複数のチップを有するボード、又は複数のボードを備える通信ユニットであり、通信ユニットは、主プロセッサ９０２に加えて、１つ以上の専用プロセッサ又は処理ユニットを有することができる）を有することもできる。これらの機能のうちのいずれも、部分的に（又は全体を）ハードウェア及び／又はプロセッサユニット９０２において実装することができる。例えば、それらの機能は、特定用途向け集積回路とともに、処理ユニット９０２内に実装されたロジック内に、周辺装置又はカード上のコプロセッサ内に、実装することができる。さらに、実現は、図９において例示されていないより少ない又はより多くのコンポーネント（例えば、ビデオカード、オーディオカード、追加のネットワークインタフェース、周辺装置、等）を含むことができる。プロセッサユニット９０２、メモリユニット９０６、及びネットワークインタフェース９０６は、バス９１０に結合される。メモリ９０６は、バス９１０に結合されるとして例示されているが、プロセッサユニット９０２に結合することができる。
【０１１７】
［００１２６］実施形態は、様々な実装及び実施を参照して説明される一方で、これらの実施形態は例示であること、及び、本発明の主題の範囲はそれらには限定されないことが理解されるであろう。概して、ここにおいて説明される拡張されたトーンマップを、ハードウェアシステム又はハードウェアシステム（複数）に一致するファシリティ（ｆａｃｉｌｉｔｙ）とともに実装することができる。数多くの変形、変更、修正、追加、及び改良が可能である。
【０１１８】
［００１２７］、ここにおいて説明されるコンポーネント、動作、又は構造に関しては、複数例は単数例として提供することができる。最後に、様々なコンポーネント、動作、及びデータストアの間の境界は多少任意であり、特定の動作は、特定の例示的な構成の点で例示される。機能のその他の割り当てが構想されており、本発明の主題の適用範囲内に入ることができる。概して、典型的な構成において別個のコンポーネントとして提示される構造及び機能は、結合された構造又はコンポーネントとして実装することができる。同様に、単一のコンポーネントとして提示される構造及び機能は、別個のコンポーネントとして実装することができる。これらの及びその他の変形、変更、修正、追加、及び改良は、本発明の主題の適用範囲内に入ることができる。
【図１】
2016517214.tif 000004
【図２】
2016517214.tif 000005
【図３】
2016517214.tif 000006
【図４】
2016517214.tif 000007
【図５】
2016517214.tif 000008
【図６】
2016517214.tif 000009
【図７】
2016517214.tif 000010
【図８】
2016517214.tif 000011
【図９】
2016517214.tif 000012
【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
第１のデバイスと第２のデバイスとの間の通信チャネルを介しての通信を調整するための方法であって、
前記第１のデバイスにおいて、少なくとも第１の周波数と第２の周波数の各々に関する変調情報と送信電力情報とを含むトーンマップを作成することと、
前記第２のデバイスに前記トーンマップを送信することと、を備える、方法。
【請求項２】
前記第１のデバイスにおいて、前記第２のデバイスからの送信の信号対雑音比（ＳＮＲ）測定値を測定することと、
少なくとも部分的に前記ＳＮＲ測定値に基づいて前記第１の周波数に関する前記送信電力情報を決定することと、をさらに備える請求項１に記載の方法。
【請求項３】
前記送信電力情報を決定することは、
前記第１の周波数に関するより低い送信電力で、前記第１の周波数と関連する第１の性能を維持することと、前記より低い送信電力は以前の送信電力より低い、
前記第１の周波数に関する前記より低い送信電力は、前記第２の周波数と関連する第２の性能を向上させる
を備える請求項２に記載の方法。
【請求項４】
前記ＳＮＲ測定値は、前記第１の周波数に関連する少なくとも第１のＳＮＲ測定値と、前記第２の周波数に関連する第２のＳＮＲ測定値と、を含む請求項２に記載の方法。
【請求項５】
前記トーンマップを作成することは、
変調と送信電力の組み合わせを表すためにカスタムトーンマップ値を定義することと、
前記トーンマップの搬送波専用フィールド内の前記カスタムトーンマップ値を使用することと、
を備える請求項１に記載の方法。
【請求項６】
前記カスタムトーンマップ値は、前記通信チャネルに関して指定されたシンボル変調レートと予め関連付けられない請求項５に記載の方法。
【請求項７】
コンフィギュレーションメッセージを前記第２のデバイスに送信することをさらに備え、
前記コンフィギュレーションメッセージは、前記変調及び前記送信電力の前記組み合わせと関連する前記カスタムトーンマップ値を定義する、
請求項５に記載の方法。
【請求項８】
前記コンフィギュレーションメッセージは、前記トーンマップを送信する前に送信される請求項７に記載の方法。
【請求項９】
前記コンフィギュレーションメッセージは、前記トーンマップの一部分内に含められる請求項７に記載の方法。
【請求項１０】
前記カスタムトーンマップ値は、変調及び送信電力の固有の組み合わせを有するルックアップテーブルへのインデックスを表す請求項７に記載の方法。
【請求項１１】
前記第１の周波数に関する第１の信号対雑音（ＳＮＲ）と前記第２の周波数に関する第２のＳＮＲとの間の差がスレショルド値よりも高いと決定することと、
前記決定に応答して、前記第１の周波数と前記第２の周波数のうちの１つに関するより低い送信電力を示すように前記第１の周波数に関する前記送信電力情報を設定することと、前記より低い送信電力は以前の送信電力より低い、
をさらに備える請求項１に記載の方法。
【請求項１２】
前記第１の周波数に関する信号対雑音（ＳＮＲ）がスレショルド値よりも高いと決定することと、
前記決定に応答して、前記第１の周波数に関するより低い送信電力に前記第１の周波数に関する前記送信電力情報を設定することと、前記より低い送信電力は以前の送信電力より低い、
をさらに備える請求項１に記載の方法。
【請求項１３】
少なくとも部分的に前記第１の周波数に関する前記ＳＮＲに基づいて前記送信電力情報を設定する前に前記第１の周波数に関する変調レートを選択することをさらに備える請求項１２に記載の方法。
【請求項１４】
第１のデバイスと第２のデバイスとの間における通信チャネルを有するネットワークに前記第１のデバイスを結合するためのネットワークインタフェースと、
少なくとも第１の周波数と第２の周波数の各々に関する変調情報と送信電力情報とを含むトーンマップを作成するように構成されたトーンマップモジュールと、
前記ネットワークインタフェースを介して前記第２のデバイスに前記トーンマップを送信するように構成された前記トーンマップモジュールと、
を備える第１のデバイス。
【請求項１５】
前記第１のデバイスにおいて、前記第２のデバイスからの送信の信号対雑音比（ＳＮＲ）測定値を測定するように構成された信号対雑音比（ＳＮＲ）測定ユニットに対する信号をさらに備え、前記トーンマップモジュールは、少なくとも部分的に前記ＳＮＲ測定値に基づいて前記第１の周波数に関する前記送信電力情報を決定するように構成される請求項１４に記載の第１のデバイス。
【請求項１６】
前記トーンマップモジュールは、前記第１の周波数に関するより低い送信電力で、前記第１の周波数と関連する第１の性能を維持するようにさらに構成され、前記より低い送信電力は以前の送信電力より低い、
前記第１の周波数に関する前記より低い送信電力は、前記第２の周波数と関連する第２の性能を向上させる、
請求項１５に記載の第１のデバイス。
【請求項１７】
前記ＳＮＲ測定値は、前記第１の周波数に関連する少なくとも第１のＳＮＲ測定値と、前記第２の周波数に関連する第２のＳＮＲ測定値と、を含む請求項１５に記載の第１のデバイス。
【請求項１８】
前記トーンマップモジュールは、
変調と送信電力の組み合わせを表すためにカスタムトーンマップ値を定義し、及び
前記トーンマップの搬送波専用フィールド内の前記カスタムトーンマップ値を使用するようにさらに構成される請求項１４に記載の第１のデバイス。
【請求項１９】
前記カスタムトーンマップ値は、前記通信チャネルに関して指定されたシンボル変調レートと予め関連付けられない請求項１８に記載の第１のデバイス。
【請求項２０】
前記トーンマップモジュールは、
前記第２のデバイスにコンフィギュレーションメッセージを送信するようにさらに構成され、
前記コンフィギュレーションメッセージは、前記変調及び前記送信電力の前記組み合わせと関連する前記カスタムトーンマップ値を定義する、請求項１８に記載の第１のデバイス。
【請求項２１】
前記コンフィギュレーションメッセージは、前記トーンマップを送信する前に送信される請求項２０に記載の第１のデバイス。
【請求項２２】
前記コンフィギュレーションメッセージは、前記トーンマップの一部分内に含められる請求項２０に記載の第１のデバイス。
【請求項２３】
コンピュータプログラムコードを格納しているコンピュータによって読み取り可能な媒体であって、前記コンピュータプログラムコードは、プロセッサによって実行されたときに、
第１のデバイスと第２のデバイスとの間の通信チャネルに関するトーンマップを作成することと、前記トーンマップは、少なくとも第１の周波数と第２の周波数の各々に関する変調情報と送信電力情報とを含む、
前記第２のデバイスに前記トーンマップを送信することを前記第１のデバイスに行わせる命令、を備える、コンピュータによって読み取り可能な媒体。
【請求項２４】
前記コンピュータプログラムコードは、
前記第１の周波数に関するより低い送信電力で前記第１の周波数と関連する第１の性能を維持するための命令をさらに備え、前記より低い送信電力は以前の送信電力より低い、
前記より低い送信電力は、前記第２の周波数と関連する第２の性能を向上させる請求項２３に記載のコンピュータによって読み取り可能な媒体。
【請求項２５】
前記コンピュータプログラムコードは、前記第１のデバイスにおいて、前記第２のデバイスからの送信の信号対雑音比（ＳＮＲ）測定値を測定するため、及び
少なくとも部分的に前記ＳＮＲ測定値に基づいて前記第１の周波数に関する前記送信電力情報を決定するための命令をさらに備える請求項２３に記載のコンピュータによって読み取り可能な媒体。
【請求項２６】
前記ＳＮＲ測定値は、少なくとも前記第１の周波数に関連する第１のＳＮＲ測定値と、前記第２の周波数に関連する第２のＳＮＲ測定値と、を含む請求項２５に記載のコンピュータによって読み取り可能な媒体。
【請求項２７】
前記コンピュータプログラムコードは、変調及び送信電力の組み合わせを表すためにカスタムトーンマップ値を定義するため、及び
前記トーンマップの搬送波専用フィールド内の前記カスタムトーンマップ値を使用するための命令をさらに備える請求項２３に記載のコンピュータによって読み取り可能な媒体。
【請求項２８】
前記カスタムトーンマップ値は、前記通信チャネルに関して指定されたシンボル変調レートと予め関連付けられない請求項２７に記載のコンピュータによって読み取り可能な媒体。
【請求項２９】
前記コンピュータプログラムコードは、
前記第２のデバイスにコンフィギュレーションメッセージを送信するための命令をさらに備え、前記コンフィギュレーションメッセージは、前記変調及び前記送信電力の前記組み合わせに関連する前記カスタムトーンマップ値を定義する請求項２７に記載のコンピュータによって読み取り可能な媒体。
【請求項３０】
装置において、少なくとも第１の周波数と第２の周波数の各々に関する変調情報と送信電力情報とを含むトーンマップを作成するための手段と、
前記装置と前記通信デバイスの間の通信チャネルを介して通信デバイスに前記トーンマップを送信するためのネットワークインタフェースと、を備える、装置。
【請求項３１】
前記第１のデバイスにおいて、前記第２のデバイスからの送信の信号対雑音比（ＳＮＲ）測定値を測定するための手段と、
少なくとも部分的に前記ＳＮＲ測定値に基づいて前記第１の周波数に関する前記送信電力情報を決定するための手段と、をさらに備える請求項３０に記載の装置。
【請求項３２】
変調及び送信電力の組み合わせを表すためにカスタムトーンマップ値を定義するための手段と、
前記トーンマップの搬送波専用フィールド内の前記カスタムトーンマップ値を使用するための手段と、をさらに備える請求項３０に記載の装置。
【手続補正２】
【補正対象書類名】明細書
【補正対象項目名】００８４
【補正方法】変更
【補正の内容】
【００８４】
［００９３］例えば、４１８における動作は、第１のデバイス４１０と第２のデバイス４２０との間におけるデータパケットの送信のために使用される周波数のグループに関するＰＳＤを調整することをさらに含むことができる。ＰＳＤが調整される周波数のグループは、様々な方法で選択することができる。幾つかの実装においては、グループは、すべての周波数が最高の許容可能なＰＳＤを有する周波数帯域内に存在するような形で選択される。幾つかの実装においては、グループは、周波数のうちの少なくとも一部が最高の許容可能なＰＳＤを有する周波数帯域内に存在し、グループ内のその他の周波数が相対的により低い許容可能なＰＳＤを有する周波数帯域内に存在するような形で選択される。
【手続補正３】
【補正対象書類名】明細書
【補正対象項目名】００９５
【補正方法】変更
【補正の内容】
【００９５】
［００１０４］１つのトメッセージフォーマット例８００において、ＰＰＤＵ８２０のペイロード８１０は、トーンマップデータから成る。トーンマップデータは、トーンマップデータの以前の集合とトーンマップデータを区別するためのトーンマップ識別子８５２及びタイムスタンプ又はバージョン情報８５４を含むことができる。トーンマップデータは、複数の搬送波Ｆ１−ｘの各々に関する物理層送信プロパティ８５６を含む。例えば、物理層送信プロパティ８５６は、通信チャネルで使用される搬送波の各々に関する搬送波フィールド８６２、８６４、８６６を含むことができる。搬送波フィールドは、各搬送波に関して等しいサイズの固定ビット長フィールドを備えることができる。搬送波フィールドは、通信チャネルで使用される特定の周波数に関する直交振幅変調（ＱＡＭ）レートを示すために使用される。
【手続補正４】
【補正対象書類名】明細書
【補正対象項目名】００９７
【補正方法】変更
【補正の内容】
【００９７】
［００１０６］各周波数に関してＱＡＭ変調レートに関連する信号点の数を送信するのではなく、搬送波フィールド８６２、８６４、８６６は、変調レートを表すためにより小さい値を備えることができる。一例において、トーンマップデータ（例えばペイロード８１０における）は、各周波数に関してシンボル変調レート（搬送波周波数当たりのシンボル当たりのビット数）を含み得る。例えば、あるトーンが１０２４−ＱＡＭに関連する場合は、トーンマップは、そのトーンに関して値“１０”を含むことができる（１６進値“Ａ”又は“０×Ａ”としても表される）。４０９６−ＱＡＭに関連するトーンに関しては、値“１２”（又は１６進“０×Ｃ”）がトーンに関して含められる。従って、トーンマップ内の各トーンに関して、各トーンに関してシンボル変調レートを伝達するために４ビットを含めることができる。４ビットは、特定の周波数に関するシンボル変調レートを伝達するために使用することができる可能な値の０乃至１５（又は０×０乃至０×Ｆ）の範囲を提供する。幾つかのシステム例では、最大シンボル変調レートは、規格仕様によって指定されている。例えば、４０９６−ＱＡＭは、周波数における最大許容変調レートであることができる。従って、１２（０×Ｃ）の値は、規格に準拠するトーンマップ内に典型的に含められる周波数の変調レートに関する最大値であることができる。値０乃至３及び１３乃至１５は、規格仕様によってサポートされている有効なＱＡＭ変調方式のシンボル変調レートに関連しないため、規格に準拠するトーンマップ内では未使用である（又は予約する）ことができる。
【手続補正５】
【補正対象書類名】明細書
【補正対象項目名】０１１６
【補正方法】変更
【補正の内容】
【０１１６】
［００１２５］幾つかの実施形態においては、ＳＮＲ測定ユニット９１２及びトーンマップモジュール９１４は、通信ユニット９０８の一部として含めることができる。幾つかの実施形態においては、通信ユニット９０８は、専用プロセッサ（例えば、チップ上のシステム、複数のチップを有するボード、又は複数のボードを備える通信ユニットであり、通信ユニットは、プロセッサユニット９０２に加えて、１つ以上の専用プロセッサ又は処理ユニットを有することができる）を有することもできる。これらの機能のうちのいずれも、部分的に（又は全体を）ハードウェア及び／又はプロセッサユニット９０２において実装することができる。例えば、それらの機能は、特定用途向け集積回路とともに、処理ユニット９０２内に実装されたロジック内に、周辺装置又はカード上のコプロセッサ内に、実装することができる。さらに、実現は、図９において例示されていないより少ない又はより多くのコンポーネント（例えば、ビデオカード、オーディオカード、追加のネットワークインタフェース、周辺装置、等）を含むことができる。プロセッサユニット９０２、メモリユニット９０６、及びネットワークインタフェース９０４は、バス９１０に結合される。
メモリ９０６は、バス９１０に結合されるとして例示されているが、プロセッサユニット９０２に結合することができる。
【手続補正６】
【補正対象書類名】明細書
【補正対象項目名】０１１８
【補正方法】変更
【補正の内容】
【０１１８】
［００１２７］、ここにおいて説明されるコンポーネント、動作、又は構造に関しては、複数例は単数例として提供することができる。最後に、様々なコンポーネント、動作、及びデータストアの間の境界は多少任意であり、特定の動作は、特定の例示的な構成の点で例示される。機能のその他の割り当てが構想されており、本発明の主題の適用範囲内に入ることができる。概して、典型的な構成において別個のコンポーネントとして提示される構造及び機能は、結合された構造又はコンポーネントとして実装することができる。同様に、単一のコンポーネントとして提示される構造及び機能は、別個のコンポーネントとして実装することができる。これらの及びその他の変形、変更、修正、追加、及び改良は、本発明の主題の適用範囲内に入ることができる。
以下に、本願出願の当初の特許請求の範囲に記載された発明を付記する。
[Ｃ１]
通信チャネルを介しての通信を調整するための方法であって、
第１のデバイスにおいて、前記第１のデバイスと第２のデバイスとの間の通信チャネルに関するトーンマップを作成することであって、前記トーンマップは、少なくとも第１の周波数を含む複数の周波数の各々に関する物理層送信プロパティを含み、前記物理層送信プロパティは、前記少なくとも第１の周波数に関する変調情報と送信電力情報とを含むことと、
前記第２のデバイスに前記トーンマップを送信することと、を備える、方法。
[Ｃ２]
前記第１のデバイスにおいて、前記第２のデバイスからの送信の信号対雑音比（ＳＮＲ）測定値を測定することと、
前記ＳＮＲ測定値に基づいて前記第１の周波数に関する前記送信電力情報を決定することと、をさらに備えるＣ１に記載の方法。
[Ｃ３]
前記送信電力情報を決定することは、
前記第１の周波数に関するより低い送信電力が前記第１の周波数の性能を劣化させずに第２の周波数の性能を向上させることになると決定することを含むＣ２に記載の方法。
[Ｃ４]
前記ＳＮＲ測定値は、前記第１の周波数に関連する少なくとも第１のＳＮＲ測定値と、前記複数の周波数の第２の周波数に関連する第２のＳＮＲ測定値と、を含むＣ２に記載の方法。
[Ｃ５]
トーンマップ値に関する搬送波専用フィールド内に含めることができる可能な数値のある１つの範囲内にあるカスタムトーンマップ値を選択することと、
前記変調情報及び前記送信電力情報の組み合わせを表すために前記カスタムトーンマップ値を前記トーンマップ値として使用することと、をさらに備えるＣ１に記載の方法。
[Ｃ６]
前記カスタムトーンマップ値は、前記通信チャネルに関して指定されたシンボル変調レートと予め関連付けられないＣ５に記載の方法。
[Ｃ７]
前記カスタムトーンマップ値に関連する前記変調情報及び前記送信電力情報の前記組み合わせをコンフィギュレーションメッセージで前記第２のデバイスに伝達することをさらに備えるＣ５に記載の方法。
[Ｃ８]
前記コンフィギュレーションメッセージは、前記トーンマップを送信する前に送信されるＣ７に記載の方法。
[Ｃ９]
前記コンフィギュレーションメッセージは、前記トーンマップの一部分内に含められるＣ７に記載の方法。
[Ｃ１０]
前記カスタムトーンマップ値は、変調情報及び送信電力情報の複数の組み合わせを有するルックアップテーブルへのインデックスを表すＣ７に記載の方法。
[Ｃ１１]
前記第１の周波数に関する第１の信号対雑音（ＳＮＲ）と第２の周波数に関する第２のＳＮＲとの間の差がスレショルド値よりも高い場合に前記第１の周波数に関する送信電力を低減させるように前記第１の周波数に関する前記送信電力情報を設定することをさらに備えるＣ１に記載の方法。
[Ｃ１２]
前記第１の周波数に関する信号対雑音（ＳＮＲ）がスレショルド値よりも高い場合に前記第１の周波数に関する送信電力を低減させるように前記第１の周波数に関する前記送信電力情報を設定することをさらに備えるＣ１に記載の方法。
[Ｃ１３]
前記第１の周波数に関する前記ＳＮＲに基づいて前記送信電力情報を設定する前に前記第１の周波数に関する前記変調レートを選択することをさらに備えるＣ１２に記載の方法。
[Ｃ１４]
第１のデバイスであって、
前記第１のデバイスと第２のデバイスとの間における通信チャネルを有するネットワークに結合することができるネットワークインタフェースと、
前記第１のデバイスと第２のデバイスとの間の前記通信チャネルに関するトーンマップを作成するように構成されたトーンマップモジュールであって、前記トーンマップは、少なくとも第１の周波数を含む複数の周波数の各々に関する物理層送信プロパティを含み、前記物理層送信プロパティは、前記少なくとも第１の周波数に関する変調情報と送信電力情報とを含むトーンマップモジュールと、を備え、
前記トーンマップモジュールは、前記ネットワークインタフェースを介して前記第２のデバイスに前記トーンマップを送信するように構成される、第１のデバイス。
[Ｃ１５]
前記第１のデバイスにおいて、前記第２のデバイスからの送信の信号対雑音比（ＳＮＲ）測定値を測定するように構成された信号対雑音比（ＳＮＲ）測定ユニットをさらに備え、前記トーンマップモジュールは、前記ＳＮＲ測定値に基づいて前記第１の周波数に関する前記送信電力情報を決定するように構成されるＣ１４に記載の第１のデバイス。
[Ｃ１６]
前記送信電力情報を決定するように構成される前記トーンマップモジュールは、
前記第１の周波数に関するより低い送信電力が前記第１の周波数の性能を劣化させずに第２の周波数の性能を向上させることになると決定するように構成される前記トーンマップモジュールを含むＣ１５に記載の第１のデバイス。
[Ｃ１７]
前記ＳＮＲ測定値は、前記第１の周波数に関連する少なくとも第１のＳＮＲ測定値と、前記複数の周波数の第２の周波数に関連する第２のＳＮＲ測定値と、を含むＣ１５に記載の第１のデバイス。
[Ｃ１８]
前記トーンマップモジュールは、
トーンマップ値に関する搬送波専用フィールド内に含めることができる可能な数値のある１つの範囲内にあるカスタムトーンマップ値を選択し、及び
前記変調情報及び前記送信電力情報の組み合わせを表すために前記カスタムトーンマップ値を前記トーンマップ値として使用するようにさらに構成されるＣ１４に記載の第１のデバイス。
[Ｃ１９]
前記カスタムトーンマップ値は、前記通信チャネルに関して指定されたシンボル変調レートと予め関連付けられないＣ１８に記載の第１のデバイス。
[Ｃ２０]
前記トーンマップモジュールは、
前記カスタムトーンマップ値に関連する前記変調情報及び前記送信電力情報の前記組み合わせをコンフィギュレーションメッセージで前記第２のデバイスに伝達するようにさらに構成されるＣ１８に記載の第１のデバイス。
[Ｃ２１]
前記コンフィギュレーションメッセージは、前記トーンマップを送信する前に送信されるＣ２０に記載の第１のデバイス。
[Ｃ２２]
前記コンフィギュレーションメッセージは、前記トーンマップの一部分内に含められるＣ２０に記載の第１のデバイス。
[Ｃ２３]
コンピュータプログラムコードを格納している非一時的なコンピュータによって読み取り可能な媒体であって、前記コンピュータプログラムコードは、第１のデバイスのプロセッサによって実行されたときに、
前記第１のデバイスと第２のデバイスとの間の通信チャネルに関するトーンマップを作成することを前記第１のデバイスに行わせる命令であって、前記トーンマップは、少なくとも第１の周波数を含む複数の周波数の各々に関する物理層送信プロパティを含み、前記物理層送信プロパティは、前記少なくとも第１の周波数に関する変調情報と送信電力情報とを含む命令と、
前記第２のデバイスに前記トーンマップを送信することを前記第１のデバイスに行わせる命令と、を備える、非一時的なコンピュータによって読み取り可能な媒体。
[Ｃ２４]
前記コンピュータプログラムコードは、前記第１のデバイスの前記プロセッサによって実行されたときに、
前記第１の周波数に関するより低い送信電力が前記第１の周波数の性能を劣化させずに第２の周波数の性能を向上させることになると決定することを前記第１のデバイスに行わせる命令をさらに備えるＣ２３に記載の非一時的なコンピュータによって読み取り可能な媒体。
[Ｃ２５]
前記コンピュータプログラムコードは、前記第１のデバイスの前記プロセッサによって実行されたときに、
前記第１のデバイスにおいて、前記第２のデバイスからの送信の信号対雑音比（ＳＮＲ）測定値を測定すること、及び
前記ＳＮＲ測定値に基づいて前記第１の周波数に関する前記送信電力情報を決定することを前記第１のデバイスに行わせる命令をさらに備えるＣ２３に記載の非一時的なコンピュータによって読み取り可能な媒体。
[Ｃ２６]
前記ＳＮＲ測定値は、前記第１の周波数に関連する少なくとも第１のＳＮＲ測定値と、前記複数の周波数の第２の周波数に関連する第２のＳＮＲ測定値と、を含むＣ２５に記載の非一時的なコンピュータによって読み取り可能な媒体。
[Ｃ２７]
前記コンピュータプログラムコードは、前記第１のデバイスの前記プロセッサによって実行されたときに、
トーンマップ値に関する搬送波専用フィールド内に含めることができる可能な数値のある１つの範囲内にあるカスタムトーンマップ値を選択し、及び
前記変調情報及び前記送信電力情報の組み合わせを表すために前記カスタムトーンマップ値を前記トーンマップ値として使用することを前記第１のデバイスに行わせる命令をさらに備えるＣ２３に記載の非一時的なコンピュータによって読み取り可能な媒体。
[Ｃ２８]
前記カスタムトーンマップ値は、前記通信チャネルに関して指定されたシンボル変調レートと予め関連付けられないＣ２７に記載の非一時的なコンピュータによって読み取り可能な媒体。
[Ｃ２９]
前記プログラムコードは、前記第１のデバイスの前記プロセッサによって実行されたときに、
前記カスタムトーンマップ値に関連する前記変調情報及び前記送信電力情報の前記組み合わせをコンフィギュレーションメッセージで前記第２のデバイスに伝達することを前記第１のデバイスに行わせる命令をさらに備えるＣ２７に記載の非一時的なコンピュータによって読み取り可能な媒体。
[Ｃ３０]
通信チャネルを介して通信するためにネットワークに結合することができる装置であって、
第１のデバイスにおいて、前記第１のデバイスと第２のデバイスとの間の通信チャネルに関するトーンマップを作成するための手段であって、前記トーンマップは、少なくとも第１の周波数を含む複数の周波数の各々に関する物理層送信プロパティを含み、前記物理層送信プロパティは、前記少なくとも第１の周波数に関する変調情報と送信電力情報とを含む手段と、
前記第２のデバイスに前記トーンマップを送信するためのネットワークインタフェースと、を備える、装置。
[Ｃ３１]
前記第１のデバイスにおいて、前記第２のデバイスからの送信の信号対雑音比（ＳＮＲ）測定値を測定するための手段と、
前記ＳＮＲ測定値に基づいて前記第１の周波数に関する前記送信電力情報を決定するための手段と、をさらに備えるＣ３０に記載の装置。
[Ｃ３２]
トーンマップ値に関する搬送波専用フィールド内に含めることができる可能な数値のある１つの範囲内のカスタムトーンマップ値を選択するための手段と、
前記変調情報及び送信電力情報の組み合わせを表すために前記カスタムトーンマップ値を前記トーンマップ値として使用するための手段と、をさらに備えるＣ３０に記載の装置。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
第１のデバイスと第２のデバイスとの間の通信チャネルを介しての通信を調整するための方法であって、
前記第１のデバイスにおいて、少なくとも第１の周波数と第２の周波数の各々に関する変調情報と送信電力情報とを含むトーンマップを作成することと、
変調と送信電力の組み合わせを表すためにカスタムトーンマップ値を定義することと、
前記トーンマップの搬送波専用フィールド内の前記カスタムトーンマップ値を使用することと、
前記第２のデバイスにコンフィギュレーションメッセージを送信することと、前記コンフィギュレーションメッセージは前記変調と前記送信電力の前記組み合わせと関連する前記カスタムトーンマップ値を定義する、及び
前記第２のデバイスに前記トーンマップを送信することと、を備える、方法。
【請求項２】
前記第１のデバイスにおいて、前記第２のデバイスからの送信の信号対雑音比（ＳＮＲ）測定値を測定することと、
少なくとも部分的に前記ＳＮＲ測定値に基づいて前記第１の周波数に関する前記送信電力情報を決定することと、をさらに備える請求項１に記載の方法。
【請求項３】
前記送信電力情報を決定することは、
前記第１の周波数に関するより低い送信電力で、前記第１の周波数と関連する第１の性能を維持することと、前記より低い送信電力は以前の送信電力より低い、
前記第１の周波数に関する前記より低い送信電力は、前記第２の周波数と関連する第２の性能を向上させる
を備える請求項２に記載の方法。
【請求項４】
前記ＳＮＲ測定値は、前記第１の周波数に関連する少なくとも第１のＳＮＲ測定値と、前記第２の周波数に関連する第２のＳＮＲ測定値と、を含む請求項２に記載の方法。
【請求項５】
前記カスタムトーンマップ値は、前記通信チャネルに関して指定されたシンボル変調レートと予め関連付けられない請求項１に記載の方法。
【請求項６】
前記コンフィギュレーションメッセージは、前記トーンマップを送信する前に送信される請求項１に記載の方法。
【請求項７】
前記コンフィギュレーションメッセージは、前記トーンマップの一部分内に含められる請求項１に記載の方法。
【請求項８】
前記カスタムトーンマップ値は、変調及び送信電力の固有の組み合わせを有するルックアップテーブルへのインデックスを表す請求項１に記載の方法。
【請求項９】
前記第１の周波数に関する第１の信号対雑音（ＳＮＲ）と前記第２の周波数に関する第２のＳＮＲとの間の差がスレショルド値よりも高いと決定することと、
前記決定に応答して、前記第１の周波数と前記第２の周波数のうちの１つに関するより低い送信電力を示すように前記第１の周波数に関する前記送信電力情報を設定することと、前記より低い送信電力は以前の送信電力より低い、
をさらに備える請求項１に記載の方法。
【請求項１０】
前記第１の周波数に関する信号対雑音（ＳＮＲ）がスレショルド値よりも高いと決定することと、
前記決定に応答して、前記第１の周波数に関するより低い送信電力に前記第１の周波数に関する前記送信電力情報を設定することと、前記より低い送信電力は以前の送信電力より低い、
をさらに備える請求項１に記載の方法。
【請求項１１】
少なくとも部分的に前記第１の周波数に関する前記ＳＮＲに基づいて前記送信電力情報を設定する前に前記第１の周波数に関する変調レートを選択することをさらに備える請求項１０に記載の方法。
【請求項１２】
第１のデバイスと第２のデバイスとの間における通信チャネルを有するネットワークに前記第１のデバイスを結合するためのネットワークインタフェースと、
プロセッサと、
前記プロセッサによって実行されたときに、
少なくとも第１の周波数と第２の周波数の各々に関する変調情報と送信電力情報とを含むトーンマップを作成することと、
変調と送信電力の組み合わせを表すためにカスタムトーンマップ値を定義することと、前記トーンマップの搬送波専用フィールド内の前記カスタムトーンマップ値を使用することと、
前記第２のデバイスにコンフィギュレーションメッセージを送信することと、前記コンフィギュレーションメッセージは前記変調と前記送信電力の前記組み合わせと関連する前記カスタムトーンマップ値を定義することと、及び
前記ネットワークインタフェースを介して前記第２のデバイスに前記トーンマップを送信することと、
を前記第１のデバイスに行わせる命令を記憶したメモリ
を備える、第１のデバイス。
【請求項１３】
前記命令は、前記プロセッサに実行されたときに、
前記第１のデバイスにおいて、前記第２のデバイスからの送信の信号対雑音比（ＳＮＲ）測定値を測定することと、少なくとも部分的に前記ＳＮＲ測定値に基づいて前記第１の周波数に関する前記送信電力情報を決定することと、
を前記第１のデバイスに行わせる、請求項１２に記載の第１のデバイス。
【請求項１４】
前記命令は、前記プロセッサに実行されたときに、
前記命令は、前記第１の周波数に関するより低い送信電力で、前記第１の周波数と関連する第１の性能を維持することを前記第１のデバイスに行わせ、前記より低い送信電力は以前の送信電力より低い、
前記第１の周波数に関する前記より低い送信電力は、前記第２の周波数と関連する第２の性能を向上させる、
請求項１３に記載の第１のデバイス。
【請求項１５】
前記ＳＮＲ測定値は、前記第１の周波数に関連する少なくとも第１のＳＮＲ測定値と、前記第２の周波数に関連する第２のＳＮＲ測定値と、を含む請求項１３に記載の第１のデバイス。
【請求項１６】
前記カスタムトーンマップ値は、前記通信チャネルに関して指定されたシンボル変調レートと予め関連付けられない請求項１２に記載の第１のデバイス。
【請求項１７】
前記コンフィギュレーションメッセージは、前記トーンマップを送信する前に送信される請求項１２に記載の第１のデバイス。
【請求項１８】
前記コンフィギュレーションメッセージは、前記トーンマップの一部分内に含められる請求項１２に記載の第１のデバイス。
【請求項１９】
コンピュータプログラムコードを格納しているコンピュータによって読み取り可能な媒体であって、前記コンピュータプログラムコードは、プロセッサによって実行されたときに、
第１のデバイスと第２のデバイスとの間の通信チャネルに関するトーンマップを作成することと、前記トーンマップは、少なくとも第１の周波数と第２の周波数の各々に関する変調情報と送信電力情報とを含む、
変調と送信電力の組み合わせを表すためにカスタムトーンマップ値を定義することと、
前記トーンマップの搬送波専用フィールド内の前記カスタムトーンマップ値を使用することと、
前記第２のデバイスにコンフィギュレーションメッセージを送信することと、前記コンフィギュレーションメッセージは前記変調と前記送信電力の前記組み合わせと関連する前記カスタムトーンマップ値を定義することと、及び
前記第２のデバイスに前記トーンマップを送信することを前記第１のデバイスに行わせる命令、を備える、コンピュータによって読み取り可能な媒体。
【請求項２０】
前記コンピュータプログラムコードは、
前記第１の周波数に関するより低い送信電力で前記第１の周波数と関連する第１の性能を維持するための命令をさらに備え、前記より低い送信電力は以前の送信電力より低い、
前記より低い送信電力は、前記第２の周波数と関連する第２の性能を向上させる請求項１９に記載のコンピュータによって読み取り可能な媒体。
【請求項２１】
前記コンピュータプログラムコードは、前記第１のデバイスにおいて、前記第２のデバイスからの送信の信号対雑音比（ＳＮＲ）測定値を測定するため、及び
少なくとも部分的に前記ＳＮＲ測定値に基づいて前記第１の周波数に関する前記送信電力情報を決定するための命令をさらに備える請求項１９に記載のコンピュータによって読み取り可能な媒体。
【請求項２２】
前記ＳＮＲ測定値は、少なくとも前記第１の周波数に関連する第１のＳＮＲ測定値と、前記第２の周波数に関連する第２のＳＮＲ測定値と、を含む請求項２１に記載のコンピュータによって読み取り可能な媒体。
【請求項２３】
前記カスタムトーンマップ値は、前記通信チャネルに関して指定されたシンボル変調レートと予め関連付けられない請求項１９に記載のコンピュータによって読み取り可能な媒体。
【請求項２４】
第１の装置において、少なくとも第１の周波数と第２の周波数の各々に関する変調情報と送信電力情報とを含むトーンマップを作成するための手段と、
変調と送信電力の組み合わせを表すためにカスタムトーンマップ値を定義するための手段と、
前記トーンマップの搬送波専用フィールド内の前記カスタムトーンマップ値を使用するための手段と、
第２の装置にコンフィギュレーションメッセージを送信するための手段と、前記コンフィギュレーションメッセージは前記変調と前記送信電力の前記組み合わせと関連する前記カスタムトーンマップ値を定義するための手段と、及び
前記第１の装置と前記第２の装置の間の通信チャネルを介して前記第２の装置に前記トーンマップを送信するためのネットワークインタフェースと、を備える、第１の装置。
【請求項２５】
前記第１の装置において、前記第２の装置からの送信の信号対雑音比（ＳＮＲ）測定値を測定するための手段と、
少なくとも部分的に前記ＳＮＲ測定値に基づいて前記第１の周波数に関する前記送信電力情報を決定するための手段と、をさらに備える請求項２４に記載の装置。
【国際調査報告】
2016517214.tif 000013
2016517214.tif 000014